(57)【要約】【課題】包装装置の設定を適切かつ簡便に行う。【解決手段】包装装置の機種と被包装物の種類とに対応する包装設定情報を記憶する外部のサーバと通信可能であるとともに、前記包装設定情報を用いて被包装物を包装する包装装置であって、当該包装装置の機種の選択と前記被包装物の種類の選択とを選択画面を介して受け付け可能な選択受付手段と、前記選択受付手段によって選択を受け付けた当該包装装置の機種と前記被包装物の種類とに対応する前記包装設定情報を前記サーバから受信する受信手段とを備え、前記選択受付手段は、当該包装装置の機種の選択を受け付ける前は前記被包装物の種類の選択の受け付けを禁止する一方、当該包装装置の機種の選択を受け付けた後は前記被包装物の種類の選択の受け付けを許可する。【選択図】図５
2019031336.tif 000002
【特許請求の範囲】
【請求項１】
包装装置の機種と被包装物の種類とに対応する包装設定情報を記憶する外部のサーバと通信可能であるとともに、前記包装設定情報を用いて被包装物を包装する包装装置であって、
当該包装装置の機種の選択と前記被包装物の種類の選択とを選択画面を介して受け付け可能な選択受付手段と、
前記選択受付手段によって選択を受け付けた当該包装装置の機種と前記被包装物の種類とに対応する前記包装設定情報を前記サーバから受信する受信手段と
を備え、
前記選択受付手段は、
当該包装装置の機種の選択を受け付ける前は前記被包装物の種類の選択の受け付けを禁止する一方、当該包装装置の機種の選択を受け付けた後は前記被包装物の種類の選択の受け付けを許可することを特徴とする包装装置。 
【請求項２】
包装装置の機種と被包装物の種類とに対応する包装設定情報を記憶する外部のサーバと通信可能であるとともに、前記包装設定情報を用いて被包装物をフィルムで包装する包装装置であって、
当該包装装置の機種の選択と前記被包装物の種類の選択と前記フィルムの種類の選択とを選択画面を介して受け付け可能な選択受付手段と、
前記選択受付手段によって選択を受け付けた当該包装装置の機種と前記被包装物の種類と前記フィルムの種類とに対応する前記包装設定情報を前記サーバから受信する受信手段と
を備え、
前記選択受付手段は、
当該包装装置の機種の選択を受け付ける前は前記被包装物の種類の選択および前記フィルムの種類の選択の受け付けを禁止する一方、当該包装装置の機種の選択を受け付けた後は少なくとも前記フィルムの種類の選択の受け付けを許可することを特徴とする包装装置。 
【請求項３】
前記選択受付手段は、
前記フィルムの種類の選択を受け付ける前は前記被包装物の種類の選択の受け付けを禁止する一方、前記フィルムの種類の選択を受け付けた後は前記被包装物の種類の選択の受け付けを許可することを特徴とする請求項２に記載の包装装置。
【請求項４】
包装装置の機種と被包装物の種類とに対応する包装設定情報を記憶する外部のサーバと通信可能であるとともに、前記包装設定情報を用いて被包装物をフィルムで包装する包装装置であって、
当該包装装置の機種に関する情報を記憶する機種情報記憶手段と、
前記被包装物の種類の選択と前記フィルムの種類の選択とを選択画面を介して受け付け可能な選択受付手段と、
当該包装装置の機種と、前記選択受付手段によって選択を受け付けた前記被包装物の種類と、前記選択受付手段によって選択を受け付けた前記フィルムの種類とに対応する前記包装設定情報を前記サーバから受信する受信手段と
を備え、
前記選択受付手段は、
前記フィルムの種類の選択を受け付ける前は前記被包装物の種類の選択の受け付けを禁止する一方、前記フィルムの種類の選択を受け付けた後は前記被包装物の種類の選択の受け付けを許可することを特徴とする包装装置。 
【請求項５】
被包装物を包装する包装装置において用いられる情報であって包装装置の機種と被包装物の種類とに対応する包装設定情報を、外部のサーバから受信可能な移動端末であって、
前記包装装置の機種の選択と前記被包装物の種類の選択とを選択画面を介して受け付け可能な選択受付手段と、
前記選択受付手段によって選択を受け付けた前記包装装置の機種と前記被包装物の種類とに対応する前記包装設定情報を前記サーバから受信する受信手段と
を備え、
前記選択受付手段は、
前記包装装置の機種の選択を受け付ける前は前記被包装物の種類の選択の受け付けを禁止する一方、前記包装装置の機種の選択を受け付けた後は前記被包装物の種類の選択の受け付けを許可することを特徴とする移動端末。 
【請求項６】
被包装物を包装する包装装置において用いられる情報であって包装装置の機種と被包装物の種類とフィルムの種類とに対応する包装設定情報を、外部のサーバから受信可能な移動端末であって、
前記包装装置の機種の選択と前記被包装物の種類の選択と前記フィルムの種類の選択とを選択画面を介して受け付け可能な選択受付手段と、
前記選択受付手段によって選択を受け付けた前記包装装置の機種と前記被包装物の種類と前記フィルムの種類とに対応する前記包装設定情報を前記サーバから受信する受信手段と
を備え、
前記選択受付手段は、
前記包装装置の機種の選択を受け付ける前は前記被包装物の種類の選択および前記フィルムの種類の選択の受け付けを禁止する一方、前記包装装置の機種の選択を受け付けた後は少なくとも前記フィルムの種類の選択の受け付けを許可することを特徴とする移動端末。
【請求項７】
前記選択受付手段は、
前記フィルムの種類の選択を受け付ける前は前記被包装物の種類の選択の受け付けを禁止する一方、前記フィルムの種類の選択を受け付けた後は前記被包装物の種類の選択の受け付けを許可することを特徴とする請求項６に記載の移動端末。 
【請求項８】
サーバと、被包装物を包装する包装装置とを含む包装システムであって、
前記サーバは、
前記包装装置の機種と前記被包装物の種類とに対応付けて包装設定情報を記憶する包装設定情報記憶手段
を有し、
前記包装装置は、
当該包装装置の機種の選択と前記被包装物の種類の選択とを選択画面を介して受け付け可能な選択受付手段と、
前記選択受付手段によって選択を受け付けた当該包装装置の機種と前記被包装物の種類とに対応する前記包装設定情報を前記サーバから受信する受信手段と
を有し、
前記選択受付手段は、
当該包装装置の機種の選択を受け付ける前は前記被包装物の種類の選択の受け付けを禁止する一方、当該包装装置の機種の選択を受け付けた後は前記被包装物の種類の選択の受け付けを許可することを特徴とする包装システム。 
【請求項９】
サーバと、被包装物をフィルムで包装する包装装置とを含む包装システムであって、
前記サーバは、
前記包装装置の機種と前記被包装物の種類とフィルムの種類とに対応付けて包装設定情報を記憶する包装設定情報記憶手段
を有し、
前記包装装置は、
当該包装装置の機種に関する情報を記憶する機種情報記憶手段と、
前記被包装物の種類の選択と前記フィルムの種類の選択とを選択画面を介して受け付け可能な選択受付手段と、
当該包装装置の機種と、前記選択受付手段によって選択を受け付けた前記被包装物の種類と、前記選択受付手段によって選択を受け付けた前記フィルムの種類とに対応する前記包装設定情報を前記サーバから受信する受信手段と
を有し、
前記選択受付手段は、
前記フィルムの種類の選択を受け付ける前は前記被包装物の種類の選択の受け付けを禁止する一方、前記フィルムの種類の選択を受け付けた後は前記被包装物の種類の選択の受け付けを許可することを特徴とする包装システム。 
【請求項１０】
サーバと、前記サーバと通信可能な移動端末とを含む包装支援システムであって、
前記サーバは、
包装装置の機種と被包装物の種類とに対応付けて包装設定情報を記憶する包装設定情報記憶手段
を有し、
前記移動端末は、
前記包装装置の機種の選択と前記被包装物の種類の選択とを選択画面を介して受け付け可能な選択受付手段と、
前記選択受付手段によって選択を受け付けた前記包装装置の機種と前記被包装物の種類とに対応する前記包装設定情報を前記サーバから受信する受信手段と
を有し、
前記選択受付手段は、
前記包装装置の機種の選択を受け付ける前は前記被包装物の種類の選択の受け付けを禁止する一方、前記包装装置の機種の選択を受け付けた後は前記被包装物の種類の選択の受け付けを許可することを特徴とする包装支援システム。 
【請求項１１】
被包装物を包装する包装装置と、サーバと、前記サーバと通信可能な移動端末とを含む包装システムであって、
前記サーバは、
前記包装装置の機種と前記被包装物の種類とに対応付けて包装設定情報を記憶する包装設定情報記憶手段
を有し、
前記移動端末は、
前記包装装置の機種の選択と前記被包装物の種類の選択とを選択画面を介して受け付け可能な選択受付手段と、
前記選択受付手段によって選択を受け付けた前記包装装置の機種と前記被包装物の種類とに対応する前記包装設定情報を前記サーバから受信する受信手段と、
前記受信手段によって受信した前記包装設定情報を記録媒体に出力する出力手段と
を有し、
前記包装装置は、
前記記録媒体に記憶された前記包装設定情報を読み込み可能な読込手段と
を有し、
前記選択受付手段は、
前記包装装置の機種の選択を受け付ける前は前記被包装物の種類の選択の受け付けを禁止する一方、前記包装装置の機種の選択を受け付けた後は前記被包装物の種類の選択の受け付けを許可することを特徴とする包装システム。 
【請求項１２】
前記包装装置は、
当該包装装置の機種に関する情報を記憶する機種情報記憶手段
を有し、
前記読込手段は、
当該包装装置の機種に対応しない前記包装設定情報を読み込まない一方、当該包装装置の機種に対応する前記包装設定情報を読み込むことを特徴とする請求項１１に記載の包装システム。
【発明の詳細な説明】
【技術分野】
【０００１】
本発明は、包装装置、移動端末、包装支援システム及び包装システムに関する。
【背景技術】
【０００２】
トレーに載せた商品をフィルムにて包装する包装装置（包装機）が知られている（例えば、特許文献１参照）。
【先行技術文献】
【特許文献】
【０００３】
【特許文献１】特開２００４−２６３１３号公報
【発明の概要】
【発明が解決しようとする課題】
【０００４】
しかしながら、上述のような包装装置は、機種毎に、使用するトレーやフィルムに応じた適切な設定が必要であり、包装装置を現場に設置（納品）しても直ちに稼働させることはでないため、設置後における設定の作業負荷が大きいという問題があった。また、稼働後であっても今迄とは異なるトレーやフィルムを初めて使用する場合にも、初めて使用するトレーやフィルムに応じた適切な設定が必要であり、作業負荷が大きいという問題があった。
【０００５】
本発明は、このような事情に鑑みてなされたもので、その目的は、包装装置の設定を適切かつ簡便に行うことができる技術を提供することにある。
【課題を解決するための手段】
【０００６】
（１）上述した課題を解決するために、本発明の一態様である包装装置は、包装装置の機種と被包装物の種類とに対応する包装設定情報を記憶する外部のサーバと通信可能であるとともに、前記包装設定情報を用いて被包装物を包装する包装装置であって、当該包装装置の機種の選択と前記被包装物の種類の選択とを選択画面を介して受け付け可能な選択受付手段と、前記選択受付手段によって選択を受け付けた当該包装装置の機種と前記被包装物の種類とに対応する前記包装設定情報を前記サーバから受信する受信手段とを備え、前記選択受付手段は、当該包装装置の機種の選択を受け付ける前は前記被包装物の種類の選択の受け付けを禁止する一方、当該包装装置の機種の選択を受け付けた後は前記被包装物の種類の選択の受け付けを許可することを特徴とする。
【０００７】
（２）上述した課題を解決するために、本発明の他の態様である包装装置は、包装装置の機種と被包装物の種類とに対応する包装設定情報を記憶する外部のサーバと通信可能であるとともに、前記包装設定情報を用いて被包装物をフィルムで包装する包装装置であって、当該包装装置の機種の選択と前記被包装物の種類の選択と前記フィルムの種類の選択とを選択画面を介して受け付け可能な選択受付手段と、前記選択受付手段によって選択を受け付けた当該包装装置の機種と前記被包装物の種類と前記フィルムの種類とに対応する前記包装設定情報を前記サーバから受信する受信手段とを備え、前記選択受付手段は、当該包装装置の機種の選択を受け付ける前は前記被包装物の種類の選択および前記フィルムの種類の選択の受け付けを禁止する一方、当該包装装置の機種の選択を受け付けた後は少なくとも前記フィルムの種類の選択の受け付けを許可することを特徴とする。
【０００８】
（３）上記（２）の包装装置において、前記選択受付手段は、前記フィルムの種類の選択を受け付ける前は前記被包装物の種類の選択の受け付けを禁止する一方、前記フィルムの種類の選択を受け付けた後は前記被包装物の種類の選択の受け付けを許可するようにしてもよい。
【０００９】
（４）上述した課題を解決するために、本発明の他の態様である包装装置は、包装装置の機種と被包装物の種類とに対応する包装設定情報を記憶する外部のサーバと通信可能であるとともに、前記包装設定情報を用いて被包装物をフィルムで包装する包装装置であって、当該包装装置の機種に関する情報を記憶する機種情報記憶手段と、前記被包装物の種類の選択と前記フィルムの種類の選択とを選択画面を介して受け付け可能な選択受付手段と、当該包装装置の機種と、前記選択受付手段によって選択を受け付けた前記被包装物の種類と、前記選択受付手段によって選択を受け付けた前記フィルムの種類とに対応する前記包装設定情報を前記サーバから受信する受信手段とを備え、前記選択受付手段は、前記フィルムの種類の選択を受け付ける前は前記被包装物の種類の選択の受け付けを禁止する一方、前記フィルムの種類の選択を受け付けた後は前記被包装物の種類の選択の受け付けを許可することを特徴とする。
【００１０】
（５）上述した課題を解決するために、本発明の他の態様である移動端末は、被包装物を包装する包装装置において用いられる情報であって包装装置の機種と被包装物の種類とに対応する包装設定情報を、外部のサーバから受信可能な移動端末であって、前記包装装置の機種の選択と前記被包装物の種類の選択とを選択画面を介して受け付け可能な選択受付手段と、前記選択受付手段によって選択を受け付けた前記包装装置の機種と前記被包装物の種類とに対応する前記包装設定情報を前記サーバから受信する受信手段とを備え、前記選択受付手段は、前記包装装置の機種の選択を受け付ける前は前記被包装物の種類の選択の受け付けを禁止する一方、前記包装装置の機種の選択を受け付けた後は前記被包装物の種類の選択の受け付けを許可することを特徴とする。
【００１１】
（６）上述した課題を解決するために、本発明の他の態様である移動端末は、被包装物を包装する包装装置において用いられる情報であって包装装置の機種と被包装物の種類とフィルムの種類とに対応する包装設定情報を、外部のサーバから受信可能な移動端末であって、前記包装装置の機種の選択と前記被包装物の種類の選択と前記フィルムの種類の選択とを選択画面を介して受け付け可能な選択受付手段と、前記選択受付手段によって選択を受け付けた前記包装装置の機種と前記被包装物の種類と前記フィルムの種類とに対応する前記包装設定情報を前記サーバから受信する受信手段とを備え、前記選択受付手段は、前記包装装置の機種の選択を受け付ける前は前記被包装物の種類の選択および前記フィルムの種類の選択の受け付けを禁止する一方、前記包装装置の機種の選択を受け付けた後は少なくとも前記フィルムの種類の選択の受け付けを許可することを特徴とする。
【００１２】
（７）上記（６）の移動端末において、前記選択受付手段は、前記フィルムの種類の選択を受け付ける前は前記被包装物の種類の選択の受け付けを禁止する一方、前記フィルムの種類の選択を受け付けた後は前記被包装物の種類の選択の受け付けを許可するようにしてもよい。
【００１３】
（８）上述した課題を解決するために、本発明の他の態様である包装システムは、サーバと、被包装物を包装する包装装置とを含む包装システムであって、前記サーバは、前記包装装置の機種と前記被包装物の種類とに対応付けて包装設定情報を記憶する包装設定情報記憶手段を有し、前記包装装置は、当該包装装置の機種の選択と前記被包装物の種類の選択とを選択画面を介して受け付け可能な選択受付手段と、前記選択受付手段によって選択を受け付けた当該包装装置の機種と前記被包装物の種類とに対応する前記包装設定情報を前記サーバから受信する受信手段とを有し、前記選択受付手段は、当該包装装置の機種の選択を受け付ける前は前記被包装物の種類の選択の受け付けを禁止する一方、当該包装装置の機種の選択を受け付けた後は前記被包装物の種類の選択の受け付けを許可することを特徴とする。
【００１４】
（９）上述した課題を解決するために、本発明の他の態様である包装システムは、サーバと、被包装物をフィルムで包装する包装装置とを含む包装システムであって、前記サーバは、前記包装装置の機種と前記被包装物の種類とフィルムの種類とに対応付けて包装設定情報を記憶する包装設定情報記憶手段を有し、前記包装装置は、当該包装装置の機種に関する情報を記憶する機種情報記憶手段と、前記被包装物の種類の選択と前記フィルムの種類の選択とを選択画面を介して受け付け可能な選択受付手段と、当該包装装置の機種と、前記選択受付手段によって選択を受け付けた前記被包装物の種類と、前記選択受付手段によって選択を受け付けた前記フィルムの種類とに対応する前記包装設定情報を前記サーバから受信する受信手段とを有し、前記選択受付手段は、前記フィルムの種類の選択を受け付ける前は前記被包装物の種類の選択の受け付けを禁止する一方、前記フィルムの種類の選択を受け付けた後は前記被包装物の種類の選択の受け付けを許可することを特徴とする。
【００１５】
（１０）上述した課題を解決するために、本発明の他の態様である包装支援システムは、サーバと、前記サーバと通信可能な移動端末とを含む包装支援システムであって、前記サーバは、包装装置の機種と被包装物の種類とに対応付けて包装設定情報を記憶する包装設定情報記憶手段を有し、前記移動端末は、前記包装装置の機種の選択と前記被包装物の種類の選択とを選択画面を介して受け付け可能な選択受付手段と、前記選択受付手段によって選択を受け付けた前記包装装置の機種と前記被包装物の種類とに対応する前記包装設定情報を前記サーバから受信する受信手段とを有し、前記選択受付手段は、前記包装装置の機種の選択を受け付ける前は前記被包装物の種類の選択の受け付けを禁止する一方、前記包装装置の機種の選択を受け付けた後は前記被包装物の種類の選択の受け付けを許可することを特徴とする。
【００１６】
（１１）上述した課題を解決するために、本発明の他の態様である包装システムは、被包装物を包装する包装装置と、サーバと、前記サーバと通信可能な移動端末とを含む包装システムであって、前記サーバは、前記包装装置の機種と前記被包装物の種類とに対応付けて包装設定情報を記憶する包装設定情報記憶手段を有し、前記移動端末は、前記包装装置の機種の選択と前記被包装物の種類の選択とを選択画面を介して受け付け可能な選択受付手段と、前記選択受付手段によって選択を受け付けた前記包装装置の機種と前記被包装物の種類とに対応する前記包装設定情報を前記サーバから受信する受信手段と、前記受信手段によって受信した前記包装設定情報を記録媒体に出力する出力手段とを有し、前記包装装置は、前記記録媒体に記憶された前記包装設定情報を読み込み可能な読込手段とを有し、前記選択受付手段は、前記包装装置の機種の選択を受け付ける前は前記被包装物の種類の選択の受け付けを禁止する一方、前記包装装置の機種の選択を受け付けた後は前記被包装物の種類の選択の受け付けを許可することを特徴とする。
【００１７】
（１２）上記（１１）の包装システムにおいて、前記包装装置は、当該包装装置の機種に関する情報を記憶する機種情報記憶手段を有し、前記読込手段は、当該包装装置の機種に対応しない前記包装設定情報を読み込まない一方、当該包装装置の機種に対応する前記包装設定情報を読み込むようにしてもよい。
【発明の効果】
【００１８】
以上のように、包装装置の設定を適切かつ簡便に行うことができるようになる。
【図面の簡単な説明】
【００１９】
【図１】包装システムの一例を示したネットワーク構成図である。
【図２】包装装置の一例を示した外観斜視図である。
【図３】包装設定情報画面の一例である。
【図４】各種の情報の一例である。
【図５】移動端末の動作の一例を示すフローチャートである。
【図６】管理装置、包装装置の動作の一例を示すフローチャートである。
【図７】画面の遷移例である。
【図８】画面の遷移例である。
【図９】画面の遷移例である。
【図１０】画面の遷移例である。
【図１１】移動端末が送受信する情報等の一例である。
【図１２】包装装置の動作の一例を示すフローチャートである。
【発明を実施するための形態】
【００２０】
［第１実施形態］
図１（Ａ）は、第１実施形態に係る包装システム１の一例を示したネットワーク構成図である。包装システム１は、管理装置（例えばサーバ等）３０、移動端末（例えばノートＰＣ、タブレット端末等）２０、少なくとも１台の包装装置１０（包装装置１０Ａ、包装装置１０Ｂ、…）を備える。なお、図１（Ａ）では、管理装置３０は１台であるが、包装システム１は、負荷分散や機能分散の観点から複数の管理装置３０を備えるようにしてもよい。
【００２１】
包装装置１０は、商品を載置した被包装物（トレー）をフィルムで包装する。具体的には、包装装置１０は、記憶部に包装設定情報を記憶し、記憶部に記憶している包装設定情報に基づいて、商品を載置したトレーをフィルムで包装する。
【００２２】
包装設定情報は、包装に係る設定情報であり、第１実施形態（第２実施形態も同様）において、包装装置１０の種類、フィルムの種類、及び、トレーの種類に応じたものである。従って、使用するフィルムが異なれば、包装装置１０やトレーが同一であっても包装設定情報が異なる場合がある。また、使用するトレーが異なれば、包装装置１０やフィルムが同一であっても包装設定情報が異なる場合がある。また、使用する包装装置１０が異なれば、トレーやフィルムが同一であっても包装設定情報が異なる場合がある。
【００２３】
包装装置１０は、操作表示部１２０（図２参照）を有し、操作者の操作に基づいて操作表示部１２０に包装設定情報画面（図３参照）に表示し、新たな包装設定情報を記憶（登録）したり、既に記憶（登録）されている包装設定情報を更新したりすることが可能である。
【００２４】
管理装置３０は、包装システム１に関する種々の情報（詳細は後述）を記憶する。例えば、管理装置３０は、包装装置１０の種類、フィルムの種類、及び、トレーの種類に対応付けて、包装設定情報を記憶する。
【００２５】
移動端末２０は、管理装置３０と通信可能（管理装置３０に接続可能）である。例えば、管理装置３０がインターネット上に存在する装置（ＩＰアドレスを有する装置）であり、移動端末２０が無線ＬＡＮ等のアクセスポイントを介して、あるいは、キャリアが設置する基地局を介して、インターネットに接続し、管理装置３０と通信する機能を有していてもよい。移動端末２０は、管理装置３０と通信することにより管理装置３０から種々の情報を取得する。例えば、移動端末２０は、管理装置３０から包装設定情報を取得する。
【００２６】
また、包装装置１０及び移動端末２０には記憶媒体（ＳＤカード等）が着脱可能である。従って、例えば、移動端末２０は、管理装置３０から取得した包装設定情報を記憶媒体に記憶し、当該記憶媒体を移動端末２０から取り出して包装装置１０に装着することにより、記憶媒体に記憶されている包装設定情報を包装装置１０の記憶部内に記憶させることができる。
【００２７】
また、包装装置１０は、当該包装装置１０の装置種別（後述）や装置名を記憶部に記憶してもよい。また、包装装置１０は、操作者の操作に基づいて当該包装装置１０の装置種別や装置名を操作表示部１２０に表示してもよい。例えば、包装装置１０は、当該包装装置１０の装置種別や装置名を自装置の記憶部に記憶している場合には、自装置の記憶部を参照して、装置種別や装置名を操作表示部１２０に表示してもよい。また、管理装置３０が各包装装置１０の装置種別や装置名を記憶する場合（例えば、装置ＩＤ（後述））と装置種別とを対応付けて記憶している場合）には、包装装置１０は、管理装置３０に自装置の装置種別や装置名を問い合わせることによって取得し（装置ＩＤを送信して送信した装置ＩＤに対応する装置名を取得し）、操作表示部１２０に表示してもよい。なお、装置種別とは、包装装置１０の種類を一意に識別可能な識別情報である。また、装置ＩＤとは、個々の包装装置１０を一意に識別可能な識別情報（例えば、個々の包装装置のＩＰアドレス、製造番号等）である。
【００２８】
なお、包装システム１のうち、包装装置１０を除く、管理装置３０及び移動端末２０を包装装置１０による包装を支援するシステムであるため包装支援システム２と称する（単に、包装システム２と称する場合もある）。なお、図１（Ｂ）は、第２実施形態に係る包装システム３の一例を示したネットワーク構成図であるが、第２実施形態については後述する。
【００２９】
図２は、包装装置１０（例えば包装装置１０Ａ）の一例を示した外観斜視図である。包装装置１０は、上部に操作表示部１２０を有する。操作表示部１２０の下側には、被包装物（商品を載置したトレー。図示略）に被せるためにフィルムを操作するフィルム操作部（非図示）や、被包装物にフィルムを被せて包装する包装部１３０など設けられている。
【００３０】
フィルム操作部は、フィルムロール収容部１１１に収容したフィルムロールのフィルムの先端を掴んで水平方向に引き出すとともにフィルムを包装部１３０の所定位置において展張させた状態で保持する前側グリッパ（非図示）、フィルムの後端を掴んで展張させた状態で保持する後側グリッパ（非図示）、フィルムをカットするカッター（非図示）等から構成されている。包装部１３０は、フィルム操作部によって展張させた状態で保持されているフィルムの左右側の端部を被包装物の底部に折り込む左右折り部（図示略）、フィルムの前後側の端部を被包装物の底部に折り込む前後折り部（図示略）、被包装物の底部に折り込んだフィルムを熱溶着するためのヒータ部１３１等から構成されている。
【００３１】
フィルム操作部や包装部１３０の下側には、被包装物を受け入れて包装部１３０へと搬送する被包装物搬送部１４０が設けられている。被包装物搬送部１４０には、被包装物を受け入れるための被包装物搬入部１４１が設けられている。被包装物搬入部１４１には、被包装物を載置して搬送方向下流側へ搬送するとともに、上側にある包装部１３０に展張されたフィルムを下から突き上げる様に被包装物を移動させる被包装物保持部（非図示）が設けられている。
【００３２】
また、包装装置１０は、記憶部に記憶している包装設定情報に基づいて、フィルム操作部、包装部１３０、被包装物搬送部１４０等の動作を制御する。より詳細には、包装装置１０は、当該包装装置１０用の複数の包装設定情報（使用する可能性があるフィルムの種類別、かつ、使用する可能性があるトレーの種類別の複数の包装設定情報）を記憶部に記憶しているが、包装装置１０は、包装に際し、記憶部に記憶している複数の包装設定情報のなかから、今回使用するフィルム（フィルムロール収容部１１１に収容したフィルムロール）の種類、今回使用するトレー（被包装物であるトレー）の種類に対応する一の包装設定情報（即ち、当該包装装置１０が当該フィルムを使用して当該トレーを包装するための包装設定情報）を選択し、選択した包装設定情報に基づいて、フィルム操作部、包装部１３０、被包装物搬送部１４０等の動作を制御する。
【００３３】
なお、包装装置１０は、操作者による操作表示部１２０の操作（指定、選択等）に基づいて、今回使用するフィルムやトレーの種類を認識してもよい。また、包装装置１０は、操作者による操作に代えて又は加えて、フィルムロール収容部１１１にフィルムロールが収容されることにより自動的に今回使用するフィルムの種類（幅等）を認識してもよい。
また、包装装置１０は、操作者による操作に代えて又は加えて、被包装物搬送部１４０に被包装物であるトレーが載置されることにより自動的に今回使用するトレーの種類を認識してもよい。例えば、搬送経路に各種センサを設け、トレーの寸法を認識してもよいし、トレーの寸法に加えてトレーの材質を認識してもよい。
【００３４】
以上の構成により、今回使用するフィルムやトレーの種類に対応する包装設定情報に基づいて、フィルム操作部がフィルムを展張させた状態で保持するとともに、被包装物搬送部１４０（被包装物保持部）が被包装物を上方向に移動させる。これにより、被包装物の上部がフィルムにより被覆され、フィルムは被包装物により引き伸ばされ、被包装物の前後左右の下側まで延在する。次いで、包装部１３０（左右折り部、前後折り部）がフィルムの左右側の端部や前後側の端部を被包装物の底部に折り込む。次いで、ヒータ部１３１が、被包装物の底部に折り込んだフィルムを熱溶着し、被包装物の包装が完成する。
【００３５】
なお、包装装置１０は、移動端末２０と通信する機能（例えば、近距離無線通信等の機能）や、管理装置３０と通信する機能（例えば、インターネットに接続する機能等）を有していてもよい。
【００３６】
図３は、包装設定情報画面の一例である。包装装置１０は、操作表示部１２０に、図３に示すような包装設定情報画面を表示する。つまり、包装装置１０は、当該包装装置１０用の複数の包装設定情報（使用する可能性があるフィルムの種類別、かつ、使用する可能性があるトレーの種類別の複数の包装設定情報）を記憶部に記憶しているが、包装装置１０は、操作者による操作表示部１２０の操作（所定画面における、フィルムの種類、及び、トレーの種類の指定）に応じて、記憶部に記憶している複数の包装設定情報のなかから一の包装設定情報（即ち、指定したフィルムを使用して、指定したトレーを包装するための包装設定情報）を読み出して、図３に示すように包装設定情報画面に表示する。なお、図面の都合上、図３に例示した包装設定情報画面は縦長としているが、包装設定情報画面は必ずしも縦長でなくてもよい。例えば、包装設定情報画面は、操作表示部１２０と同様、横長であってもよい。なお、包装設定情報画面のサイズに応じて、包装設定情報画面をスクロール表示してもよいし、複数ページに分けて表示してもよい。
【００３７】
包装装置１０は、包装設定情報画面を介して、記憶部に記憶している包装設定情報を更新（項目の追加、修正、削除）する。例えば、包装装置１０は、記憶部から読み出され包装設定情報画面に表示されている包装設定情報の一の項目のデータを操作者が修正し、所定操作（例えば、包装設定情報画面上の「更新」ボタン（非図示）の押下）を行うことにより、当該包装設定情報の一の項目を修正する。また、包装装置１０は、包装設定情報画面を介して、新たな包装設定情報を記憶部に記憶（登録）する。例えば、包装装置１０は、包装設定情報画面に表示し、各項目にデータを入力し、所定操作（例えば、包装設定情報画面上の「登録」ボタン（非図示）の押下）を行うことにより、新たな包装設定情報を記憶部に記憶する。
【００３８】
また、包装装置１０は、上述した様に、記憶媒体から包装設定情報を読み出して記憶部に記憶（登録）させることもできる。
【００３９】
図４は、各種の情報の一例である。図４（Ａ）は、管理装置３０が記憶する包装設定情報の一例である。管理装置３０は、図４（Ａ）に示すように、包装条件情報に対応付けて包装設定情報（フィルムカット長さ、包装速度等）を記憶する。包装条件情報とは、包装設定情報を特定等（特定、選択、抽出等）するための包装条件（包装装置１０の種類、フィルムの種類、トレーの種類）に関する情報である。図４（Ａ）に示す例では、管理装置３０は、包装装置１０の種類（装置種別）、フィルムの種類（材質、幅）、及び、トレーの種類（トレー種別）の組み合せ毎に、包装設定情報を記憶している。フィルムの種類は、材質、幅により一意に識別される。トレー種別は、トレーの種類を一意に識別可能な識別情報である。なお、図４（Ａ）においては、包装設置情報の具体的な値の図示を省略している。
【００４０】
図４（Ｂ）は、管理装置３０が記憶する包装装置に関する装置管理情報の一例である。
管理装置３０は、装置種別に対応付けて装置名を記憶している。本実施形態では、装置種別だけではなく装置名も包装装置１０の種類を一意に識別可能な識別情報である。なお、図４（Ｄ）は、第２実施形態に係る包装システムにおける装置管理情報である。
【００４１】
図４（Ｃ）は、管理装置３０が記憶するトレーに関するトレー管理情報の一例である。
管理装置３０は、トレー種別に対応付けて、トレー名及びトレー詳細情報（タイプ、各種の寸法）を記憶している。本実施形態では、トレー種別だけではなくトレー名もトレーの種類を一意に識別可能な識別情報である。
【００４２】
続いて、図５〜図１１を用いて、第１実施形態における包装システム１の動作例について説明する。図５は、移動端末２０の動作の一例を示すフローチャートである。具体的には、図５のフローチャートは、包装設定情報の取得に関する移動端末２０の動作の一例を示している。
【００４３】
ステップＳ１０：操作者の操作に基づいて管理装置３０に条件入力画面取得要求（条件入力画面の取得要求）を送信する。条件入力画面とは、包装条件情報（図４（Ａ）参照）を入力等（入力、選択、指定等）するための画面（図７〜図１０参照）である。
ステップＳ１１：条件入力画面を表示する。
ステップＳ１２：条件入力画面において包装装置１０の種類の選択を可能にする。
ステップＳ１３：操作者によって包装装置１０の種類が選択されたか否かを判断する。包装装置１０の種類が選択された場合（ＹＥＳ）にはステップＳ１４の処理に進む。一方、包装装置１０の種類が選択されていない場合（ＮＯ）にはステップＳ１３の処理を繰り返す。
【００４４】
ステップＳ１４：条件入力画面においてフィルムの素材の種類の選択を可能にする。つまり、移動端末２０は、フィルムの素材の種類の選択を可能にする前（ステップＳ１４の処理を実行する前）は、操作者によるフィルムの素材の種類の選択を受け付けないように制御する一方、フィルムの素材の種類の選択を可能にした後（ステップＳ１４の処理を実行した後）は、操作者によるフィルムの素材の種類の選択を受け付けるように制御する。例えば、ステップＳ１４の処理を実行する前はフィルムの素材の種類を選択するためのボタンを表示せずに、ステップＳ１４の処理において当該ボタンを表示するようにしてもよい。また例えば、ステップＳ１４の処理を実行する前にもフィルムの素材の種類を選択するためのボタンを表示しているが、ステップＳ１４の処理を実行する前は当該ボタンを操作してもフィルムの素材の種類を選択できないようにし、ステップＳ１４の処理を実行した後に当該ボタンを操作してフィルムの素材の種類を選択できるようにしてもよい。後述する、フィルムの幅の種類の選択やトレーの種類の選択についても同様である。
【００４５】
ステップＳ１５：操作者によってフィルムの素材の種類が選択されたか否かを判断する。
フィルムの素材の種類が選択された場合（ＹＥＳ）にはステップＳ１６の処理に進む。一方、フィルムの素材の種類が選択されていない場合（ＮＯ）にはステップＳ１５の処理を繰り返す。
【００４６】
ステップＳ１６：条件入力画面においてフィルムの幅の種類の選択を可能にする。つまり、移動端末２０は、フィルムの幅の種類の選択を可能にする前（ステップＳ１６の処理を実行する前）は、操作者によるフィルムの幅の種類の選択を受け付けないように制御する一方、フィルムの幅の種類の選択を可能にした後（ステップＳ１６の処理を実行した後）は、操作者によるフィルムの幅の種類の選択を受け付けるように制御する。
【００４７】
ステップＳ１７：操作者によってフィルムの幅の種類が選択されたか否かを判断する。フィルムの幅の種類が選択された場合（ＹＥＳ）にはステップＳ１８の処理に進む。一方、フィルムの素材の種類が選択されていない場合（ＮＯ）にはステップＳ１７の処理を繰り返す。
【００４８】
ステップＳ１８：条件入力画面においてトレーの種類の選択を可能にする。つまり、移動端末２０は、トレーの種類の選択を可能にする前（ステップＳ１８の処理を実行する前）は、操作者によるトレーの種類の選択を受け付けないように制御する一方、トレーの種類の選択を可能にした後（ステップＳ１８の処理を実行した後）は、操作者によるトレーの種類の選択を受け付けるように制御する。
【００４９】
ステップＳ１９：操作者によってトレーの種類が選択されたか否かを判断する。トレーの種類が選択された場合（ＹＥＳ）にはステップＳ２０の処理に進む。一方、トレーの種類が選択されていない場合（ＮＯ）にはステップＳ１９の処理を繰り返す。
【００５０】
ステップＳ２０：操作者から包装設定情報の表示指示があったか否かを判断する。例えば、移動端末２０は、所定のボタン（例えば、図１０（Ｒ）や図１０（Ｕ）に示した「表示」ボタン等）が操作（タッチ等）された場合に表示指示があったと判断する。表示指示があった場合（ＹＥＳ）にはステップＳ２１の処理に進む。一方、表示指示がなかった場合（ＮＯ）にはステップＳ２４の処理に進む。
【００５１】
ステップＳ２１：管理装置３０に包装設定情報取得要求（包装設定情報の取得要求）を送信する。なお、ステップＳ２１（ステップＳ２５も同様）において管理装置３０に送信する包装設定情報取得要求には、当該移動端末２０が要求する包装設定情報を管理装置３０が記憶部から抽出するための包装条件情報が含まれている。つまり、操作者が選択した包装条件（包装装置１０の種類、フィルムの種類、トレーの種類）に応じた包装条件情報を含む包装設定情報取得要求を管理装置３０に送信する。
ステップＳ２２：管理装置３０から包装設定情報を受信する。
ステップＳ２３：包装設定情報を表示する。例えば、移動端末２０は、包装装置１０が表示する画面（図３に示した包装設定情報画面）と同一又は略同一の画面において包装設定情報を表示してもよい。なお、包装装置１０の包装設定情報画面が横長であれば移動端末２０も横長の包装設定情報画面を表示し、包装装置１０の包装設定情報画面が縦長であれば移動端末２０も縦長の包装設定情報画面を表示するなど、移動端末２０に表示される包装設定情報画面の見た目と、包装装置１０に表示される包装設定情報画面の見た目が同じになるようにしてもよい。
【００５２】
ステップＳ２４：操作者から包装設定情報の保存指示があったか否かを判断する。例えば、移動端末２０は、所定のボタン（例えば、図１０（Ｒ）や図１０（Ｕ）に示した「保存」ボタン等）が操作（タッチ等）された場合に保存指示があったと判断する。保存指示があった場合（ＹＥＳ）にはステップＳ２５の処理に進む。一方、保存指示がなかった場合（ＮＯ）にはステップＳ２０の処理に戻る。
【００５３】
ステップＳ２５：管理装置３０に包装設定情報取得要求を送信する。
ステップＳ２６：管理装置３０から装置種別とともに包装設定情報を受信する。
ステップＳ２７：記憶媒体に装置種別とともに包装設定情報を記憶（保存）する。そして、図５のフローチャートは終了する。
【００５４】
なお、表示指示があった場合に送信する包装設定情報取得要求（ステップＳ２１において送信する包装設定情報取得要求）と、保存指示があった場合の包装設定情報取得要求（ステップＳ２５において送信する包装設定情報取得要求）とは、管理装置３０において夫々を区別できるようなっている。例えば、表示指示があった場合に送信する包装設定情報取得要求は、包装条件情報、表示指示による要求である旨の情報を含むものとし、保存指示があった場合に送信する包装設定情報取得要求は、包装条件情報、保存指示による要求である旨の情報を含むものとしてもよい。
【００５５】
また、移動端末２０は、ステップＳ２０において、例えば、図１０（Ｒ）に示すようにトレー名「ＴＡ−１０」が選択された状態において「表示」ボタンが操作された場合、ステップＳ２３において、包装装置１０が表示する包装設定情報画面（図３）と同一又は略同一の画面において包装設定情報を表示するが、移動端末２０が表示する包装設定情報画面（包装装置１０が表示する包装設定情報画面も同様）には、値の変更ができる項目（包装条件に応じて値が可変の項目）と、値の変更ができない項目（包装条件によらずに値が一定の項目）とが存在してもよい。そして、両方の包装設定情報画面（移動端末２０が表示する包装設定情報画面、包装装置１０が表示する包装設定情報画面）において、操作者が、値の変更ができる項目と値の変更ができない項目とを一見して区別できるように、両項目の表示態様を異ならせてもよい。つまり、操作者が、移動端末２０や包装装置１０が表示する包装設定情報画面を見れば、どの項目が、値の変更ができる項目であるかが直ちに分かるようにしてもよい。例えば、値の変更ができない項目の表示欄についてグレーダウン（又は網掛け）表示し、値の変更ができる項目の表示欄についてはそのようにしないようにしてもよい。また、値の変更ができる項目の項目名に印（マーク）を付し、値の変更ができない項目の項目名には印を付さないようにしてもよい。このようにすることにより、操作者は、移動端末２０の包装設定情報画面上に表示された当該包装条件による包装設定情報を参照して、包装装置１０の包装設定情報画面上に表示されている包装設定情報（テンプレートとしてデフォルト値が表示されているもの）を修正する際に（つまり管理装置３０から受信した包装設定情報を包装装置１０に反映させる際に）、両方の包装設定情報画面において、変更ができない項目（修正の可能性がない項目）を無視し易く、変更ができる項目（修正の可能性がある項目）にだけ着目し易くなるため、簡便に、管理装置３０から受信した包装設定情報を包装装置１０に簡便に反映させることができる。なお、移動端末２０が管理装置３０から受信した包装設定情報を包装装置１０に反映させる方法には、上述のように操作者が両画面を見比べて入力する方法の他に、記憶媒体（ＳＤカード等）を用いた方法もある（図６（Ｂ）参照）。
【００５６】
図６（Ａ）は、管理装置３０の動作の一例を示すフローチャートである。具体的には、図６（Ａ）のフローチャートは、包装設定情報の送信に関する管理装置３０の動作の一例を示している。
【００５７】
ステップＳ３０：移動端末２０から条件入力画面取得要求を受信したか否かを判断する。
条件入力画面取得要求を受信した場合（ＹＥＳ）にはステップＳ３１の処理に進む。一方、条件入力画面取得要求を受信していない場合（ＮＯ）には図６（Ａ）のフローチャートは終了する。
ステップＳ３１：条件入力画面の画面情報を要求元である移動端末２０に送信する。
【００５８】
ステップＳ３２：移動端末２０から包装設定情報取得要求を受信したか否かを判断する。
包装設定情報取得要求を受信した場合（ＹＥＳ）にはステップＳ３３に進む。一方、包装設定情報取得要求を受信していない場合（ＮＯ）にはステップＳ３２の処理に戻る。
ステップＳ３３：記憶部に記憶している複数の包装設定情報のなかから、包装設定情報取得要求に応じた包装設定情報を抽出する。つまり、移動端末２０から受信した包装設定情報取得要求に含まれている包装条件情報に基づいて記憶部から包装設定情報を抽出する。
ステップＳ３４：抽出した包装設定情報等を送信する。具体的には、表示指示による要求である旨の情報を含む包装設定情報取得要求を受信した場合には包装設定情報を送信し、保存指示による要求である旨の情報を含む包装設定情報取得要求を受信した場合には装置種別とともに包装設定情報を送信する。そして、図６（Ａ）のフローチャートは終了する。
【００５９】
図６（Ｂ）は、包装装置１０の動作の一例を示すフローチャートである。具体的には、図６（Ｂ）のフローチャートは、記憶媒体を介した包装設定情報の設定に関する包装装置１０の動作の一例を示している。
【００６０】
ステップＳ４０：記憶媒体の装着を検出したか否かを判断する。記憶媒体の装着を検出した場合（ＹＥＳ）にはステップＳ４１の処理に進む。一方、記憶媒体の装着を検出していない場合（ＮＯ）には図６（Ｂ）のフローチャートは終了する。
ステップＳ４１：記憶媒体に装置種別が記憶されているか否かを判断する。装置種別が記憶されている場合（ＹＥＳ）にはステップＳ４２の処理に進む。一方、記憶媒体の装着を検出していない場合（ＮＯ）にはステップＳ４７の処理に進む。
【００６１】
ステップＳ４２：記憶媒体に記憶されている装置種別を読み込む。
ステップＳ４３：記憶媒体から読み込んだ装置種別が、当該包装装置１０の装置種別と一致しているか否かを判断する。例えば、包装装置１０は、記憶部に自装置の装置種別を記憶している場合には、記憶部に記憶している自装置の装置種別が、記憶媒体から読み込んだ装置種別と一致しているか否かを判断する。また例えば、包装装置１０は、記憶部に自装置の装置種別を記憶していない場合には、管理装置３０に問い合わせることによって取得した自装置の装置種別が、記憶媒体から読み込んだ装置種別と一致しているか否かを判断する。一致している場合（ＹＥＳ）にはステップＳ４４の処理に進む。一方、一致していない場合（ＮＯ）にはステップＳ４６の処理に進む。
【００６２】
ステップＳ４４：記憶媒体に記憶されている包装設定情報を記憶部に記憶する。つまり、記憶媒体に記憶されている包装設定情報を当該包装装置１０に設定する。
ステップＳ４５：操作表示部１２０に正常終了のメッセージ（包装設定情報の設定が正常に完了した旨等）を表示する。そして、図６（Ｂ）のフローチャートは終了する。
【００６３】
ステップＳ４６：操作表示部１２０に異常終了のメッセージ（包装設定情報の設定が正常に完了しなかった旨、装置種別が一致していない旨、記憶媒体を装着すべき包装装置１０を確認する旨等）を表示する。そして、図６（Ｂ）のフローチャートは終了する。
ステップＳ４７：操作表示部１２０に異常終了のメッセージ（包装設定情報の設定が正常に完了しなかった旨、記憶媒体に装置種別が記憶されていない旨、記憶媒体を確認する旨等）を表示し、図６（Ｂ）のフローチャートは終了する。
【００６４】
図７〜図１０は、画面の遷移例である。なお、図７→図８→図９→図１０の順に画面は遷移する。なお、管理装置３０は、図４に示した情報を記憶しているものとする。
【００６５】
図７（Ａ）は、移動端末２０が、図５のステップＳ１１にて表示する条件入力画面（初期画面）である。なお、図７（Ａ）の条件入力画面には、包装条件の１つであるトレーの種類を選択するための画面に遷移させる「次へ」ボタンが設けられているが、先行して選択すべき他の包装条件（包装装置１０の種類、フィルムの種類）が未だ選択されていないため、「次へ」ボタンの操作が無効（破線にて図示）となっている。図７（Ｂ）は、図７（Ａ）において「機種を選択」が選択された場面である。図７（Ｃ）は、図７（Ｂ）において「包装装置Ａ１」が選択された場面である。なお、図７（Ｃ）に続いて直ちに図８（Ｆ）に遷移する。
【００６６】
図７（Ｄ）は、図７（Ａ）において「フィルム（材質）」が選択された場面である。包装装置１０の種類を選択する前にフィルムの素材の種類を選択することはできないため（図５のステップＳ１３の判断がＮＯの場合にはステップＳ１４の処理が実行されないため）、図７（Ｄ）では、包装装置１０の種類を選択すべき旨のエラーメッセージ（「機種を選択してください。」）を表示している。図７（Ｅ）は、図７（Ａ）において「フィルム（幅）」が選択された場面である。包装装置１０の種類を選択する前にフィルムの幅の種類を選択することはできないため（図５のステップＳ１３の判断がＮＯの場合にはステップＳ１６の処理が実行されないため）、図７（Ｅ）では、包装装置１０の種類を選択すべき旨のエラーメッセージ（「機種を選択してください。」）を表示している。
【００６７】
図８（Ｆ）は、図７（Ｃ）に続いて直ちに表示される画面である。なお、図８（Ｆ）では、包装装置１０の種類が選択済みとなっている。図８（Ｇ）は、図８（Ｆ）において「フィルム（材質）」が選択された場面である。図８（Ｈ）は、図８（Ｇ）において「塩ビ」が選択された場面である。なお、図８（Ｈ）に続いて直ちに図９（Ｊ）に遷移する。
【００６８】
図８（Ｉ）は、図８（Ｆ）において「フィルム（幅）」が選択された場面である。フィルムの素材の種類を選択する前にフィルムの幅の種類を選択することはできないため（図５のステップＳ１５の判断がＮＯの場合にはステップＳ１６の処理が実行されないため）、図８（Ｉ）では、フィルムの材質の種類を選択すべき旨のエラーメッセージ（「フィルム（材質）を選択してください。」）を表示している。
【００６９】
図９（Ｊ）は、図８（Ｈ）に続いて直ちに表示される画面である。なお、図９（Ｊ）では、包装装置１０の種類、及び、フィルムの材質の種類が選択済みとなっている。図９（Ｋ）は、図９（Ｊ）において「フィルム（幅）」が選択された場面である。図９（Ｌ）は、図９（Ｋ）において「３００」が選択された場面である。図９（Ｍ）は、図９（Ｌ）に続いて直ちに表示される画面である。図９（Ｍ）では、包装装置１０の種類、フィルムの種類（フィルムの材質の種類、フィルムの幅の種類）が選択済みとなっている。また、図９（Ｍ）では、包装装置１０の種類、フィルムの種類が選択済みとなっているため、トレーの種類を選択するための画面に遷移させる「次へ」ボタンの操作が有効となっている。
【００７０】
図９（Ｎ）は、図９（Ｍ）において「次へ」ボタンの操作があった場合に表示される画面である。図９（Ｎ）の画面は、トレーの種類を検索（抽出）するための画面であって、検索タイプに対応する２つのタブ（タブ「名称」、タブ「特徴」）のうちタブ「名称」が選択されている状態の画面である。トレーの種類は非常に多いため、トレーの種類の選択に先立ってトレー名に基づいて選択対象のトレーの種類を絞り込むようにしている。
【００７１】
また、図９（Ｎ）の画面は、タブよりも上側（２つのタブに共通する部分）に、操作者が既に選択した包装条件（包装装置１０の種類、フィルムの種類）を表示する包装条件表示領域がある。図９（Ｎ）に示した例では、図７（Ｃ）にて選択した「包装装置Ａ１」、図８（Ｈ）にて選択したフィルム（材質）「塩ビ」、図９（Ｌ）にて選択したフィルム（幅）「３００」を示すものとして、上記包装条件表示領域に「包装装置Ａ１／塩ビ（３００）」が表示されている。後述する図９（Ｏ）の画面も同様である。
【００７２】
図９（Ｎ）の画面は、タブよりも下側（タブ「名称」に固有の部分）に、トレー名を入力するための入力欄、トレーの種類を検索する検索方法を選択（「前方一致」か「完全一致」の何れか一方を選択）するための選択領域（ラジオボタン）、「戻る」ボタン、「検索」ボタンが設けられている。なお、検索方法は、初期状態として「前方一致」が選択されている。また、「戻る」ボタンが操作された場合には図９（Ｍ）の画面に戻る。また、図９（Ｎ）では、トレーの種類を検索するための検索条件（具体的には、トレー名）が未だ入力されていないため、「検索」ボタンの操作が無効となっている。
【００７３】
図９（Ｏ）は、図９（Ｎ）においてタブ「特徴」が選択された場合（タブ「特徴」がタッチされた場合）に表示される画面である。なお、図９（Ｏ）においてタブ「名称」が選択された場合（タブ「名称」がタッチされた場合）には図９（Ｎ）の画面に遷移する。
【００７４】
図９（Ｏ）の画面は、トレーの種類を検索するための画面であって、検索タイプに対応する２つのタブ（タブ「名称」、タブ「特徴」）のうちタブ「特徴」が選択されている状態の画面である。トレーの種類は非常に多いため、トレーの種類の選択に先立ってトレーの特徴に基づいて選択対象のトレーの種類を絞り込むようにしている。
【００７５】
図９（Ｏ）の画面には、タブよりも下側（タブ「特徴」に固有の部分）に、トレーのタイプを選択（「発泡トレー」か「クリアトレー」の何れか一方を選択）するための選択領域（ラジオボタン）、トレーの各寸法（トレー幅（上面）、トレー奥行き（上面）、トレー高さ）を入力するための各入力欄、「戻る」ボタン、「検索」ボタンが設けられている。トレーのタイプは、初期状態として「発泡トレー」が選択されている。また、「戻る」ボタンが操作された場合には図９（Ｍ）の画面に戻る。また、図９（Ｏ）では、トレーの種類を検索するための検索条件（具体的には、トレーの３つの寸法のうち少なくとも２つ）が未だ入力されていないため、「検索」ボタンの操作が無効となっている。
【００７６】
図１０（Ｐ）は、図９（Ｎ）においてトレー名「ＴＡ」が入力された場面である。図１０（Ｐ）では、トレーの種類を検索するための検索条件（トレー名）が入力されているため、「検索」ボタンの操作が有効となっている。
【００７７】
図１０（Ｑ）は、図１０（Ｐ）において「検索」ボタンの操作があった場合に表示される検索結果画面である。移動端末２０は、図１０（Ｐ）において「検索」ボタンの操作があった場合、例えば、トレー名「ＴＡ」及び検索方法「前方一致」を含む検索要求を管理装置３０に送信し、管理装置３０から検索結果を受信することにより、図１０（Ｑ）に示したような検索結果画面を表示する。
【００７８】
図１０（Ｑ）の検索結果画面は、上部に、「包装装置Ａ１／塩ビ（３００）」と表示した包装条件表示領域に加えて、トレーの種類を検索するための検索条件を表示する検索条件表示領域があり該領域には「ＴＡ／前方一致」が表示されている。図１０（Ｑ）の検索結果画面は、中央に、トレーの種類の検索結果として、トレー名が「ＴＡ」に前方一致するトレー（図４（Ｃ）の「ａ」「ｂ」等）に関する情報が検索結果として表示されている。また、検索結果の夫々（検索されたトレー毎）に、夫々を選択するための選択領域（チェックボックス）が設けられている。なお、図１０（Ｑ）に示す例では、トレー幅（上面）、トレー奥行き（上面）、トレー高さ、タイプを表示しているが、これらのうちの少なくとも１つに代えて、又は、これらに加えて、トレー種別、トレー幅（底面）、トレー奥行き（底面）のうちの少なくとも１つを表示してもよい。後述する図１０（Ｔ）においても同様である。図１０（Ｑ）の検索結果画面は、下部に、「戻る」ボタンが設けられている。「戻る」ボタンが操作された場合には図１０（Ｐ）の画面に戻る。
【００７９】
図１０（Ｒ）は、図１０（Ｑ）の検索結果画面において、トレー名「ＴＡ１−１０」のトレーが選択された場面である。図１０（Ｒ）の場面では、「戻る」ボタンに加えて、「表示」ボタン、「保存」ボタンが表示されている。「戻る」ボタンが操作された場合には図１０（Ｐ）の画面に戻る。
【００８０】
図１０（Ｒ）において「表示」ボタンが操作された場合には、移動端末２０は、包装設定情報取得要求（図５のステップＳ２１参照）を管理装置３０に送信する。移動端末２０が管理装置３０に送信する包装設定情報取得要求は、包装条件（包装装置１０の種類、フィルムの種類、トレーの種類）を含むものである。例えば、図１０（Ｒ）の場合、包装装置１０の種類（装置名）「包装装置Ａ１」、フィルムの種類「塩ビ（３００）」、トレーの種類（トレー名）「ＴＡ−１０」を含む、包装設定情報取得要求を管理装置３０に送信する。
【００８１】
図１０（Ｒ）において「保存」ボタンが操作された場合には、包装設定情報取得要求（図５のステップＳ２５参照）を管理装置３０に送信する。移動端末２０が管理装置３０に送信する包装設定情報取得要求は、包装条件（包装装置１０の種類、フィルムの種類、トレーの種類）を含むものである。例えば、図１０（Ｒ）の場合、包装装置１０の種類（装置名）「包装装置Ａ１」、フィルムの種類「塩ビ（３００）」、トレーの種類（トレー名）「ＴＡ−１０」を含む、包装設定情報取得要求を管理装置３０に送信する。
【００８２】
図１０（Ｓ）は、図９（Ｏ）の画面においてトレー幅「１９」及びレー奥行き「１４」が入力された場面である。図１０（Ｓ）では、トレーの種類を検索するための検索条件（具体的には、トレーの３つの寸法のうち２つ）が入力されているため、「検索」ボタンの操作が有効となっている。
【００８３】
図１０（Ｔ）は、図１０（Ｓ）において「検索」ボタンの操作があった場合に表示される検索結果画面である。移動端末２０は、図１０（Ｓ）において「検索」ボタンの操作があった場合、例えば、タイプ「発泡トレー」、トレー幅（上面）「１９」及びトレー奥行き（上面）「１４」を含む検索要求を管理装置３０に送信し、管理装置３０から検索結果を受信することにより、図１０（Ｔ）に示したような検索結果画面を表示する。
【００８４】
図１０（Ｔ）の検索結果画面は、上部に、「包装装置Ａ１／塩ビ（３００）」と表示した包装条件表示領域に加えて、トレーの種類を検索するための検索条件を表示する検索条件表示領域があり該領域には「発泡／幅「１９」／奥「１４」／高「−」」が表示されている。図１０（Ｔ）の検索結果画面は、中央に、トレーの種類の検索結果として、タイプが「発泡トレー」であり、且つ、トレー幅（上面）が「１９（ｃｍ）」、トレー奥行（上面）が「１４（ｃｍ）」であるトレー（図４（Ｃ）の「ａ」「ｃ」等）に関する情報が検索結果として表示されている。また、検索結果の夫々（検索されたトレー毎）に、夫々を選択するための選択領域（チェックボックス）が設けられている。図１０（Ｔ）の検索結果画面は、下部に、「戻る」ボタンが設けられている。「戻る」ボタンが操作された場合には図１０（Ｓ）の画面に戻る。
【００８５】
図１０（Ｕ）は、図１０（Ｔ）の検索結果画面において、トレー名「ＴＡ１−１０」のトレーが選択された場面である。図１０（Ｕ）の場面では、「戻る」ボタンに加えて、「表示」ボタン、「保存」ボタンが表示されている。「戻る」ボタンが操作された場合には図１０（Ｓ）の画面に戻る。
【００８６】
図１０（Ｕ）において「表示」ボタンが操作された場合には、移動端末２０は、包装設定情報取得要求（図５のステップＳ２１参照）を管理装置３０に送信する。移動端末２０が管理装置３０に送信する包装設定情報取得要求は、包装条件（包装装置１０の種類、フィルムの種類、トレーの種類）を含むものである。例えば、図１０（Ｕ）の場合、包装装置１０の種類（装置名）「包装装置Ａ１」、フィルムの種類「塩ビ（３００）」、トレーの種類（トレー名）「ＴＡ−１０」を含む、包装設定情報取得要求を管理装置３０に送信する。
【００８７】
図１０（Ｕ）において「保存」ボタンが操作された場合には、包装設定情報取得要求（図５のステップＳ２５参照）を管理装置３０に送信する。移動端末２０が管理装置３０に送信する包装設定情報取得要求は、包装条件（包装装置１０の種類、フィルムの種類、トレーの種類）を含むものである。例えば、図１０（Ｕ）の場合、包装装置１０の種類（装置名）「包装装置Ａ１」、フィルムの種類「塩ビ（３００）」、トレーの種類（トレー名）「ＴＡ−１０」を含む、包装設定情報取得要求を管理装置３０に送信する。
【００８８】
図１１は、移動端末２０が送受信する情報等の一例である。図１１（Ａ）は、移動端末２０が管理装置３０に送信する包装設定情報取得要求（図５のステップＳ２１、ステップＳ２５参照）に含まれる、包装条件情報の一例である。例えば、図１０（Ｒ）又は図１０（Ｕ）の場面において「表示」ボタンや「保存」ボタンが操作された場合、移動端末２０は、図１１（Ａ）に示すような包装条件情報を含む包装設定情報取得要求を管理装置３０に送信する。なお、上述した様に、「表示」ボタンが操作された場合に移動端末２０が送信する包装設定情報取得要求と、「保存」ボタンが操作された場合に移動端末２０が送信する包装設定情報取得要求とは、管理装置３０において夫々を区別できるようなっている。
【００８９】
図１１（Ｂ）は、移動端末２０が包装設定情報取得要求の送信後に管理装置３０から受信する包装設定情報（図５のステップＳ２２、ステップＳ２６参照）である。例えば、移動端末２０は、図１０（Ｒ）又は図１０（Ｕ）の場面において「表示」ボタンの操作に応じて図１１（Ａ）に示したような包装設定情報取得要求を送信した場合には、図１１（Ｂ）に示すような包装設定情報を受信する。また例えば、移動端末２０は、図１０（Ｒ）又は図１０（Ｕ）の場面において「保存」ボタンの操作に応じて図１１（Ａ）に示したような包装設定情報取得要求を送信した場合には、装置種別（具体的には、図１１（Ａ）の包装装置「Ａ１」に対応する装置種別「Ｈ０１」）とともに図１１（Ｂ）に示すような包装設定情報を受信する。
【００９０】
なお、管理装置３０は、図４（Ｂ）の装置管理情報を参照し、装置名を装置種別に変換可能である。例えば、「包装装置Ａ１」を「Ｈ０１」に変換可能である。また、管理装置３０は、図４（Ｃ）のトレー管理情報を参照し、トレー名をトレー種別に変換可能である。例えば、トレー名「ＴＡ−１０」をトレー種別「Ｔ００１」に変換可能である。従って、管理装置３０は、例えば、図１１（Ａ）の包装条件情報を移動端末２０から受信した場合（つまり移動端末２０から受信した包装設定情報取得要求に図１１（Ａ）の包装条件情報が含まれていた場合）、図１１（Ａ）の包装条件情報から図１１（Ｃ）の包装条件情報を取得することができる。図１１（Ｃ）の包装条件情報は、図４（Ａ）に示した包装条件情報と項目が一致するため、管理装置３０は、図４（Ａ）に示した複数の包装設定情報のなかから、図１１（Ｃ）の包装条件情報に対応する包装設定情報（図４（Ａ）の「ｄ」）を検索（抽出）することができる。
【００９１】
また、移動端末２０は、図１１（Ａ）に示すような包装条件情報（装置名、トレー名を含む包装条件情報）を含む包装設定情報取得要求に代えて、図１１（Ｃ）に示すような包装条件情報（装置種別、トレー種別を含む包装条件情報）を含む包装設定情報取得要求を管理装置３０に送信してもよい。なお、移動端末２０は、例えば、図４（Ｂ）の装置管理情報や図４（Ｃ）のトレー管理情報を管理装置３０から受信することにより図１１（Ｃ）に示すような包装条件情報を生成し、図１１（Ｃ）に示すような包装条件情報を含む包装設定情報取得要求を管理装置３０に送信してもよい。また、移動端末２０は、装置種別、トレー種別を管理装置３０に問い合わせることにより図１１（Ｃ）に示すような包装条件情報を生成し、図１１（Ｃ）に示すような包装条件情報を含む包装設定情報取得要求を管理装置３０に送信してもよい。
【００９２】
また、移動端末２０は、包装設定情報取得要求の送信後に、包装条件情報とともに包装設定情報を受信してもよい。例えば、移動端末２０は、図５のステップＳ２２の処理やステップＳ２６の処理において、図１１（Ｄ）に示すような情報を管理装置３０から受信してもよい。なお、移動端末２０が包装条件情報とともに包装設定情報を管理装置３０から受信する態様とする場合、管理装置３０は包装設定情報を抽出した後に当該抽出に用いた包装条件情報とともに当該抽出した包装設定情報を移動端末２０に送信すればよい。
【００９３】
また、移動端末２０は、トレー管理情報を管理装置３０から受信してもよい。例えば、移動端末２０は、管理装置３０に送信した包装設定情報取得要求に含まれている包装条件情報（具体的にはトレーの種類）に対応するトレー管理情報を管理装置３０から受信してもよい。具体的には、移動端末２０が、図１１（Ａ）の包装条件情報を含む包装設定情報取得要求（又は、図１１（Ｃ）の包装条件情報を含む包装設定情報取得要求）を管理装置３０に送信した場合には、図１１（Ｅ）に示すように、トレーの種類（トレー名）「ＴＡ−１０」やトレーの種類（トレー種別）「Ｔ００１」に対応するトレー管理情報を管理装置３０から受信してもよい。なお、移動端末２０が包装設定情報に加えてトレー管理情報を管理装置３０から受信する態様とする場合、管理装置３０は包装設定情報を抽出した後に当該抽出に用いたトレーの種類（トレー種別）に対応するトレー管理情報を移動端末２０に送信すればよい。
【００９４】
また、移動端末２０は、複数の包装設定情報を受信してもよい。例えば、移動端末２０は、図１０（Ｒ）又は図１０（Ｕ）の場面において「ＴＡ−１０」に加えて「ＴＡ−２０」のトレーも選択された状態で「表示」ボタンや「保存」ボタンの操作があった場合には図１１（Ｆ）に示すような２つの包装条件情報を含む包装設定情報取得要求を管理装置３０に送信することにより、２つの包装条件情報の夫々に対応する夫々の包装設定情報を受信するようにしてもよい。
【００９５】
［第２実施形態］
図１（Ｂ）は、第２実施形態に係る包装システム３の一例を示したネットワーク構成図である。包装システム３は、管理装置（例えばサーバ等）３１、少なくとも１台の包装装置１１（包装装置１１Ａ、包装装置１１Ｂ、…）を備える。即ち、第１実施形態に係る包装システム１は移動端末２０を備えているのに対し、第２実施形態に係る包装システム３は移動端末２０を備えていない点が異なる。以下、第２実施形態について、第１実施形態と共通する部分については説明の一部又は全部を省略し、第１実施形態と異なる部分を中心に説明する。
【００９６】
包装装置１１は、商品を載置したトレーをフィルムで包装する。包装装置１１は、包装装置１０の構成に加え、通信部１５０（非図示）を更に備える。即ち、第１実施形態の包装装置１０は、通信機能を有していても有していなくてもよいのに対し（管理装置３０に装置種別等を問い合わせる態様とする場合には通信機能を有する）、第２実施形態の包装装置１１は通信機能を有している。上記以外の点に関しては、第１実施形態の包装装置１０の構成と第２実施形態の包装装置１１の構成とは、基本的に同様である。
【００９７】
管理装置３１は、包装装置１１と通信する。即ち、第１実施形態の管理装置３０は基本的に移動端末２０と通信するのに対し、第２実施形態の管理装置３１は包装装置１１と通信する。また、第１実施形態に係る包装システム１は包装装置１０を含むため管理装置３０は図４（Ｂ）の装置管理情報を記憶するのに対し、第２実施形態に係る包装システム３は包装装置１１を含むため管理装置３１は図４（Ｄ）の装置管理情報を記憶する。上記以外の点に関しては、第１実施形態の管理装置３０の構成と第２実施形態の管理装置３１の構成とは、基本的に同様である。
【００９８】
図１２は、包装装置１１の動作の一例を示すフローチャートである。具体的には、図１２のフローチャートは、包装設定情報の取得に関する包装装置１１の動作の一例を示している。なお、図１２のフローチャートは図５のフローチャートと動作主体が異なるものの（図１２のフローチャートの動作主体は包装装置１１、図５のフローチャートの動作主体は移動端末２０）、動作主体が異なる点を除くと共通する部分が多いため、共通する部分については説明の一部又は全部を省略し、異なる部分を中心に説明する。
【００９９】
ステップＳ１１０：操作者の操作に基づいて管理装置３１に条件入力画面取得要求を送信する。つまり、操作者が操作表示部１２０を操作することにより通信部１５０により管理装置３１に条件入力画面取得要求を送信する。
ステップＳ１１１：自包装装置１１を初期選択した条件入力画面を操作表示部１２０に表示する。例えば、包装装置１１は、記憶部に自装置の装置名を記憶している場合には、包装条件（包装装置１１の種類）として、記憶部に記憶している装置名を予め選択した状態の条件入力画面（例えば、図８（Ｆ）に示したような条件入力画面）を操作表示部１２０に表示する。また例えば、包装装置１１は、記憶部に自装置の装置名を記憶していない場合には、包装条件（包装装置１１の種類）として、管理装置３１に問い合わせることによって取得した自装置の装置名を予め選択した状態の条件入力画面（例えば、図８（Ｆ）に示したような条件入力画面）を操作表示部１２０に表示する。
【０１００】
ステップＳ１１４〜ステップＳ１１９：図５のステップＳ１４〜ステップＳ１９と同様である。つまり、第２実施形態の包装装置１１は操作表示部１２０を介して、第１実施形態の移動端末２０と同じように、フィルムの種類やトレーの種類の選択を受け付ける。
【０１０１】
ステップＳ１２０：操作者から包装設定情報の表示指示があったか否かを判断する。表示指示があった場合（ＹＥＳ）にはステップＳ１２１の処理に進む。一方、表示指示がなかった場合（ＮＯ）にはステップＳ１２４の処理に進む。
【０１０２】
ステップＳ１２１：管理装置３１に包装設定情報取得要求を送信する。なお、ステップＳ１２１（ステップＳ１２５も同様）において管理装置３１に送信する包装設定情報取得要求には、当該包装装置１１が要求する包装設定情報を管理装置３１が記憶部から抽出するための包装条件情報が含まれている。つまり、当該包装装置１１の装置名や操作者が選択した包装条件（フィルムの種類、トレーの種類）に応じた包装条件情報を含む包装設定情報取得要求を管理装置３１に送信する。
ステップＳ１２２：管理装置３１から包装設定情報を受信する。
ステップＳ１２３：包装設定情報を表示する。例えば、包装装置１１は、図３に示した包装設定情報画面において包装設定情報を表示してもよい。
【０１０３】
ステップＳ１２４：操作者から包装設定情報の保存指示があったか否かを判断する。保存指示があった場合（ＹＥＳ）にはステップＳ１２５の処理に進む。一方、保存指示がなかった場合（ＮＯ）にはステップＳ１２０の処理に戻る。
【０１０４】
ステップＳ１２５：管理装置３１に包装設定情報取得要求を送信する。
ステップＳ１２８：管理装置３１から包装設定情報を受信する。
ステップＳ１４４：包装設定情報を記憶部に記憶する。つまり、管理装置３１から受信した包装設定情報を当該包装装置１１に設定する。
ステップＳ１４５：操作表示部１２０に正常終了のメッセージ（包装設定情報の設定が正常に完了した旨等）を表示する。そして、図１２のフローチャートは終了する。
【０１０５】
なお、ステップＳ１１１において、包装装置１１は、自装置の記憶部に装置名を記憶していないが装置種別を記憶している場合には、管理装置３１に対する問い合わせに装置種別を用いてもよい（装置種別を送信して送信した装置種別に対応する装置名を取得してもよい。また、ステップＳ１２１、ステップＳ１２５において管理装置３１に送信する包装設定情報取得要求は、図１１（Ｃ）に示すように、装置種別やトレー種別を含むものであってもよい。第１実施形態のステップＳ２１、ステップＳ２５においても同様である。
【０１０６】
以上、第１実施形態の包装システム１、及び、第２実施形態の包装システム３について説明したが、第１実施形態の包装システム１によれば、移動端末２０において、包装装置、フィルム及びトレーの種類を特定すれば、適切な包装設定情報を取得できるので、適切かつ簡便に包装装置の設定を行うことができる。
【０１０７】
また、第２実施形態の包装システム３によれば、包装装置１１において、包装装置、フィルム及びトレーの種類を特定すれば、適切な包装設定情報を取得できるので、適切かつ簡便に包装装置の設定を行うことができる。また、包装システム３では、操作者の操作によらずに包装装置の種類が特定されるため（包装装置の種類が初期選択されるため）、操作がより簡便になり操作ミスも少なくなる。
【０１０８】
包装システム１では、包装装置の種類を特定したことを条件にフィルムの種類やトレーの種類を特定している。つまり、包装システム１では、包装装置の種類が特定される迄、フィルムの種類やトレーの種類の特定を禁止している。従って、効率良く、包装装置、フィルム及びトレーの種類の組み合せを特定することができる。なお、包装システム１では操作者が包装装置１０の種類を特定するのに対し、包装システム３では包装装置１１が当該包装装置１１の種類を特定（初期選択）する点が異なるものの、包装システム３でも、包装装置の種類が特定（初期選択）されたことを条件にフィルムの種類やトレーの種類を特定している。
【０１０９】
なお、包装システム１（包装システム３も同様）では、フィルムの種類を特定したことを条件にトレーの種類を特定している（図５、図８〜図１０、図１２参照）。つまり、包装システム１（包装システム３も同様）では、フィルムの種類が特定される迄、トレーの種類の特定を禁止している。
【０１１０】
また、図７〜図１０に示すように、選択肢が少ない項目（装置の種類、フィルムの素材、フィルムの幅）については全部の選択肢を操作者に提示する一方、選択肢が多い項目（トレーの種類）については検索条件に合致した一部の選択肢を提示するようにしているので、効率良く、包装装置、フィルム及びトレーの種類の組み合せを特定することができる。
【０１１１】
なお、装置の種類、フィルムの素材、フィルムの幅は、選択肢が少ないので、管理装置３０は、条件入力画面の初期画面を送信するときに（例えば、図７（Ａ）の条件入力画面の画面情報を送信するときに）、装置の種類の選択肢（例えば、図７（Ｂ）の「包装装置Ａ１」、「包装装置Ｂ１」）の情報、フィルムの素材の選択肢（例えば、図８（Ｇ）の「塩ビ」、「ポリ」）の情報、フィルムの幅の選択肢（例えば、図９（Ｌ）の「２６０」、「３００」等）の情報についても纏めて移動端末２０に送信するようにしてもよい。図７（Ｄ）（Ｅ）、図８（Ｉ）のエラーメッセージに関する情報も同様である。
【０１１２】
また、図９（Ｎ）及び図９（Ｏ）に示すように、トレーの種類の検索の態様として種々の態様（タブ「名称」／タブ「特徴」）、前方一致／完全一致等）を用意しているので、操作者は、適宜、適した方法にてトレーの種類を検索することができる。なお、トレーの名称、特徴に代えて又は加えて、トレーの製造元（又は販売元）からトレーの種類を検索することができるようにしてもよい。
【０１１３】
また、図１０（Ｓ）に示すように、トレーの３つの寸法（トレー幅（上面）、トレー奥行き（上面）、トレー高さ）のうち少なくとも２つを入力すればよいので、簡便にトレー種類を検索することができる。なお、トレーの３つの寸法のうち少なくとも１つを入力すればトレーを検索できるようにしてもよい。
【０１１４】
以上、各実施形態（第１実施形態、第２実施形態）について説明したが、装置の構成、データの構成、フローチャートで示した処理、画面の構成、画面の遷移等は、本発明の趣旨を逸脱しない範囲で、任意に変更及び修正が可能である。
【０１１５】
例えば、第１実施形態では、移動端末２０は、包装装置１０に関する包装条件情報として装置名や装置種別を管理装置３０に送信しているが（図１１（Ａ）、図１１（Ｃ）等）、包装装置１０に関する包装条件情報として他の情報を送信してもよい。例えば、管理装置３０が、装置ＩＤ（個々の包装装置１０を一意に識別可能な識別情報）と装置種別等とを対応付けて記憶している場合や、装置種別等を含むような装置ＩＤ（例えば、「Ｈ０１ＸＸＸＸＸ」の如く先頭の３文字が装置種別を構成しているような装置ＩＤ）を記憶している場合には、移動端末２０は、包装装置１０に関する包装条件情報として装置名や装置種別に代えて装置ＩＤを管理装置３０に送信してもよい。つまり、移動端末２０は、包装装置１０に関する包装条件情報として、包装装置１０の種類を管理装置３０が認識できる情報を送信すればよい。第２実施形態についても同様である。
【０１１６】
第２実施形態の包装システム３では、夫々の包装装置１１（又は管理装置３１）が、包装装置の種類に関する情報（装置名、装置種別等）を保持（記憶）しているが、包装システム３が、操作者の操作によらずに、包装設定情報を設定しようとする包装装置１１の種類を認識することができるのであれば、他の装置（例えば、ルータ等）が、包装装置の種類に関する情報を保持してもよい。いずれの場合であっても、操作者による包装装置１１の種類の選択は不要である。
【０１１７】
なお、包装設定情報を設定しようとする包装装置１１の種類に関する情報に代えてまたは加えて、包装設定情報を設定しようとする包装装置１１において使用され得るフィルムの種類に関する情報を保持（記憶）してもよい。つまり、包装システム３が、操作者の操作によらずに、包装設定情報を設定しようとする包装装置１１において使用され得るフィルムの種類を認識することができるようにしてもよい。フィルムの種類に関する情報を保持する場所は、夫々の包装装置１１であってもよいし、管理装置３１であってもよいし、他の装置（例えば、ルータ等）であってもよい。いずれの場所に保持する場合であっても、操作者によるフィルムの種類の選択は不要になる。なお、管理装置３１が、フィルムの種類に関する情報を保持する場合、例えば、装置ＩＤに対応付けてフィルムの種類に関する情報を保持してもよい。
【０１１８】
同様に、包装設定情報を設定しようとする包装装置１１の種類に関する情報や包装設定情報を設定しようとする包装装置１１において使用され得るフィルムの種類に関する情報に代えて又は加えて、包装設定情報を設定しようとする包装装置１１において使用され得るトレーの種類に関する情報を保持してもよい。つまり、包装システム３が、操作者の操作によらずに、包装設定情報を設定しようとする包装装置１１において使用され得るトレーの種類を認識することができるようにしてもよい。トレーの種類に関する情報を保持する場所は、夫々の包装装置１１であってもよいし、管理装置３１であってもよいし、他の装置（例えば、ルータ等）であってもよい。いずれの場所に保持する場合であっても、操作者によるトレーの種類の選択は不要になる。なお、管理装置３１が、トレーの種類に関する情報を保持する場合、例えば、装置ＩＤに対応付けてトレーの種類に関する情報を保持してもよい。
【０１１９】
なお、ＧＰＳの位置情報、顧客データ（顧客名、店舗名、住所等）に基づいて、包装装置の種類やフィルムの種類やトレーの種類を把握（取得）できるようにしてもよい。例えば、第１実施形態の包装システム１において、管理装置３０は、位置情報（包装装置１０の設置位置を示した位置情報）に対応付けてフィルムの種類に関する情報やトレーの種類に関する情報（当該包装装置１０において使用され得るフィルムの種類に関する情報やトレーの種類に関する情報）を保持しておき、移動端末２０（当該包装装置１０の近傍に位置する移動端末２０）からアクセスがあったときに当該移動端末２０の位置情報に基づいて、当該包装装置１０において使用され得るフィルムやトレーの種類を認識してもよい。
第２実施形態についても同様である。
【０１２０】
また、操作者による選択や情報の保持以外の方法により「種類」を認識してもよい。例えば、トレーの形状を包装装置に付随するカメラで撮像してトレーの種類を特定してもよいし、トレーが納品されてきた時に箱や袋に付いているバーコード(リスト化したもの)をバーコードリーダーで読込むだけでトレーを特定してもよい(新しいトレーデータだけ取りたい場合も含む)。包装装置の種類やフィルムの種類についても同様である。
【０１２１】
また、第２実施形態は、包装装置１１が当該包装装置１１用の包装設定情報を管理装置３１から取得する例を説明したが、包装装置１１は、当該包装装置１１とは異なる他の包装装置１１用の包装設定情報を管理装置３１から取得し、記憶媒体を介して、他の包装装置１１に記憶（設定）するようにしてもよい。包装装置１１が当該包装装置１１とは異なる他の包装装置１１用の包装設定情報を管理装置３１から取得する態様とするときには、包装条件情報として他の包装装置１１の種類の選択、及び、包装設定情報を他の包装装置１１に記憶する際の確認（図６（Ｂ）に示した動作等）が必要になるため、包装装置１１は、図１２のフローチャートではなく図５のフローチャートに示したように動作することになる。
【０１２２】
なお、管理装置３０（又は管理装置３１）に接続（アクセス）する場合、条件入力画面を表示する場合、包装装置１０（包装装置１１）に包装設定情報の記憶（設定）する場合の少なくとも１つにおいて、操作者にパスワードを求める等の認証処理を行うようにしてもよい。
【０１２３】
上記実施形態（第１実施形態、第２実施形態）では、包装装置１０（包装装置１１）の種類、フィルムの種類及びトレーの種類の３つに基づいて管理装置３０（管理装置３１）から包装設定情報を取得（ダウンロード）しているが、１つ又は２つに基づいて管理装置３０（管理装置３１）から包装設定情報を取得（ダウンロード）するようにしてもよい。
【０１２４】
例えば、包装装置の種類及びトレーの種類に基づいて包装設定情報を取得してもよい。
つまり、管理装置は、操作者が選択した包装装置の種類（又は、保持している情報に基づいて包装装置や管理装置が認識した包装装置の種類）と、操作者が選択したトレーの種類（又は、保持している情報に基づいて包装装置や管理装置が認識したトレーの種類）と、任意のフィルムの種類とに基づいて包装設定情報を抽出してもよい。包装装置の種類及びトレーの種類に基づいて管理装置から包装設定情報をダウンロードする態様では、ダウンロード後に、使用するフィルムの種類に基づいて包装設定情報を取捨選択するとよい。ダウンロードに先立ってフィルムの種類による絞り込みを省略しているため、操作者の操作や管理装置側の処理を簡素化させることができる。但し、包装装置の種類、フィルムの種類及びトレーの種類に基づいて包装設定情報を取得する場合の方が、ダウンロードするデータ量を抑制することができる。
【０１２５】
また例えば、包装装置の種類及びフィルムの種類に基づいて包装設定情報を取得してもよい。つまり、管理装置は、操作者が選択した包装装置の種類（又は、保持している情報に基づいて包装装置や管理装置が認識した包装装置の種類）と、操作者が選択したフィルムの種類（又は、保持している情報に基づいて包装装置や管理装置が認識したフィルムの種類）と、任意のトレーの種類とに基づいて包装設定情報を抽出してもよい。包装装置の種類及びフィルムの種類に基づいて管理装置から包装設定情報をダウンロードする態様では、ダウンロード後に、使用するトレーの種類に基づいて包装設定情報を取捨選択するとよい。ダウンロードに先立ってトレーの種類による絞り込みを省略しているため、操作者の操作や管理装置側の処理を簡素化させることができる。但し、包装装置の種類、フィルムの種類及びトレーの種類に基づいて包装設定情報を取得する場合の方が、ダウンロードするデータ量を抑制することができる。また、ダウンロード後に包装設定情報の取捨選択を行わなかった場合、包装装置にトレーの種類を自動認識させる際の処理負荷が大きくなる（認識速度が低下する虞もある）。
【０１２６】
また例えば、包装装置の種類に基づいて包装設定情報を取得してもよい。つまり、管理装置は、操作者が選択した包装装置の種類（又は、保持している情報に基づいて包装装置や管理装置が認識した包装装置の種類）と、任意のトレーの種類と、任意のフィルムの種類とに基づいて包装設定情報を抽出してもよい。つまり、包装装置さえ決まれば、当該包装装置に関係し得る全部の包装設定情報を一括してダウンロードする態様である。データ量は大きくなるが、操作等は最も簡便である。
【０１２７】
なお、以上に説明した包装システム１、３、包装支援システム２、包装装置１０、１１、移動端末２０、管理装置３０の機能を実現するためのプログラムを、コンピュータ読み取り可能な記録媒体に記録し、そのプログラムをコンピュータシステムに読み込ませて実行するようにしてもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【０１２８】
以下に付記を開示する。
［付記１］
本発明の一態様である包装システムは、商品を載置した被包装物をフィルムで包装する包装装置を用いた包装システムであって、前記包装装置の種類情報、前記フィルムの種類情報、及び、前記被包装物の種類情報に対応付けて包装設定情報を記憶する包装設定情報記憶部と、少なくとも前記被包装物の種類及び前記フィルムの種類を操作によって特定する特定手段と、前記包装装置、前記フィルム及び前記被包装物の種類が特定されたことに基づいて、該特定された前記包装装置、前記フィルム及び前記被包装物の組み合せに対応する前記包装設定情報を前記包装設定情報記憶部から取得する取得手段とを有し、前記特定手段は、前記包装装置の種類が特定される迄、前記フィルムの種類、及び、前記被包装物の種類の特定を禁止する。
【０１２９】
付記１の構成によれば、包装装置、フィルム及び被包装物の種類を特定すれば、特定した包装装置、フィルム及び被包装物の種類の組み合せに応じた適切な包装設定情報を取得できるので、適切かつ簡便に包装装置の設定を行うことができる。また、包装装置の種類が特定される迄、フィルムや被包装物の種類の特定を禁止するため、効率良く、包装装置、フィルム及び被包装物の種類の組み合せを特定することができる。
【０１３０】
[付記２]
付記１の包装システムにおいて、前記特定手段は、前記フィルムの種類が特定される迄、前記被包装物の種類の特定を禁止するようにしてもよい。
【０１３１】
付記２の構成によれば、フィルムの種類が特定される迄、被包装物の種類の特定を禁止するため、効率良く、フィルム及び被包装物の種類の組み合せを特定することができる。
【０１３２】
[付記３]
付記１又は付記２の包装システムは、管理装置と、前記管理装置と通信可能な移動端末とを備え、前記管理装置は、前記包装設定情報記憶部を有し、前記移動端末は、前記特定手段と前記取得手段とを有し、前記包装装置は、前記取得手段によって取得された前記包装設定情報を読み込む読込手段を有し、前記特定手段は、前記包装装置の種類、前記被包装物の種類及び前記フィルムの種類を操作によって特定し、前記読込手段は、当該包装装置とは異なる種類の前記包装装置が特定されたことに基づいて取得された前記包装設定情報の読み込みを禁止するようにしてもよい。
【０１３３】
付記３の構成によれば、包装装置が通信機能を有しない場合（又は通信機能に不具合が生じている場合）であっても、包装設定情報を読み込むことができる。また、ある包装装置のための包装設定情報が、他の包装装置に読み込まれることを防止することができる。
【０１３４】
[付記４]
付記１又は付記２の包装システムは、前記包装装置と通信可能な管理装置を備え、前記管理装置は、前記包装設定情報記憶部を有し、前記包装装置は、前記特定手段と前記取得手段とに加えて、前記取得手段によって取得された前記包装設定情報を読み込む読込手段を有し、前記特定手段は、前記包装装置の種類を内部に記憶する該包装装置の種類情報を参照することによって特定するとともに、前記被包装物の種類及び前記フィルムの種類を操作によって特定するようにしてもよい。
【０１３５】
付記４の構成によれば、包装装置の種類情報を特定する操作を誤ることがなくなるので、より適切かつ簡便に包装装置の設定を行うことができる。
【０１３６】
[付記５]
付記１〜付記３のうちのいずれかの包装システムは、前記取得手段によって取得した前記包装設定情報を表示する表示手段を備えるようにしてもよい。
【０１３７】
付記５の構成によれば、設定内容を確認することができる。
【０１３８】
更に付記を開示する。
［付記Ａ１］
本発明の一態様である包装システムは、被包装物をフィルムで包装する包装装置を用いた包装システムであって、前記包装装置の種類情報、前記被包装物の種類情報に対応付けて包装設定情報を記憶する包装設定情報記憶部と、前記包装装置の種類と前記被包装物の種類とを特定する特定手段と、前記包装装置の種類と前記被包装物の種類とが特定されたことに基づいて、該特定された前記包装装置、前記被包装物の組み合せに対応する前記包装設定情報を前記包装設定情報記憶部から取得する取得手段とを有し、前記特定手段は、前記包装装置の種類を特定したことを条件に、前記被包装物の種類を特定する。
付記Ａ１の構成によれば、包装装置及び被包装物（トレー等）の種類を特定すれば、特定した包装装置及び被包装物の種類の組み合せに応じた適切な包装設定情報を取得できるので、適切かつ簡便に包装装置の設定を行うことができる。また、包装装置の種類を特定したことを条件に被包装物の種類を特定するようにしたので、効率良く、包装装置及び被包装物の種類の組み合せを特定することができる。
［付記Ａ２］
本発明の他の態様である包装システムは、被包装物をフィルムで包装する包装装置を用いた包装システムであって、前記包装装置の種類情報、前記被包装物の種類情報、フィルムの種類情報に対応付けて包装設定情報を記憶する包装設定情報記憶部と、少なくとも前記包装装置の種類を特定する特定手段と、前記包装装置の種類に加えて、前記被包装物の種類または前記フィルムの種類のうちの少なくとも一方の種類が特定されたことに基づいて、該特定された前記包装装置、前記被包装物または前記フィルムの組み合せに対応する前記包装設定情報を前記包装設定情報記憶部から取得する取得手段とを有し、前記特定手段は、前記包装装置の種類を特定したことを条件に、前記被包装物の種類または前記フィルムの種類のうちの少なくとも一方の種類を特定する。
付記Ａ２の構成によれば、（ａ）包装装置及び被包装物の種類を特定するか、（ｂ）包装装置及びフィルムの種類を特定するか、（ｃ）包装装置、被包装物及びフィルムの種類を特定すれば、適切な包装設定情報（（ａ）の場合には特定した包装装置及び被包装物の種類の組み合せに応じた包装設定情報、（ｂ）の場合には特定した包装装置及びフィルムの種類の組み合せに応じた包装設定情報、（ｃ）の場合には特定した包装装置、被包装物及びフィルムの種類の組み合せに応じた包装設定情報）を取得できるので、適切かつ簡便に包装装置の設定を行うことができる。また、包装装置の種類を特定したことを条件に被包装物の種類またはフィルムの種類のうちの少なくとも一方の種類を特定（（ａ）の場合には包装装置の種類を特定したことを条件に被包装物の種類の特定、（ｂ）の場合には包装装置の種類を特定したことを条件にフィルムの種類の特定、（ｃ）の場合には包装装置の種類を特定したことを条件に被包装物及びフィルムの種類の特定）するようにしたので、効率良く、夫々の組み合せを特定することができる。
［付記Ａ３］
付記Ａ１又は付記Ａ２の包装システムは、前記包装装置の種類情報を記憶する種類情報記憶部を備え、前記特定手段は、前記包装装置の種類を、前記種類情報記憶部に記憶されている該包装装置の種類情報に基づいて特定するようにしてもよい。
付記Ａ３の構成によれば、包装装置の種類を特定する操作が不要になるので、より正確に、より簡便に、包装装置の種類を特定することができる。従って、より適切かつ簡便に包装装置の設定を行うことができる。
［付記Ａ４］
付記Ａ２の包装システムは、前記包装装置の種類情報と該包装装置において使用される前記フィルムの種類情報とを記憶する種類情報記憶部を備え、前記特定手段は、前記包装装置の種類または前記フィルムの種類のうちの少なくとも一方の種類を、前記種類情報記憶部に記憶されている情報に基づいて特定するようにしてもよい。
付記Ａ４の構成によれば、包装装置やフィルムの種類を特定する操作が不要になるので、より正確に、より簡便に、包装装置やフィルムの種類を特定することができる。従って、より適切かつ簡便に包装装置の設定を行うことができる。
［付記Ａ５］
付記Ａ３又は付記４の包装システムは、前記包装装置と通信可能な管理装置を備え、前記管理装置は、少なくとも前記包装設定情報記憶部を有し、前記包装装置は、少なくとも前記種類情報記憶部を有するようにしてもよい。
付記Ａ５の構成によれば、当該包装装置に記憶されている情報に基づいて包装装置の種類を正確かつ簡便に特定することができる。
［付記Ａ６］
付記Ａ１〜付記５のうちのいずれかの包装システムは、前記包装装置は、前記取得手段によって取得された前記包装設定情報を読み込む読込手段を有するようにしてもよい。
付記Ａ６の構成によれば、より簡便に包装装置の設定を行うことができる。
［付記Ａ７］
付記Ａ１〜付記６のうちのいずれかの包装システムは、前記取得手段によって取得した前記包装設定情報を表示する表示手段を備えるようにしてもよい。
付記Ａ７の構成によれば、設定内容を確認することができる。
【符号の説明】
【０１３９】
１、３…包装システム
２…包装支援システム（包装システム）
１０、１１…包装装置（包装機）
２０…移動端末
３０、３１…管理装置
【図１】
2019031336.tif 000003
【図２】
2019031336.tif 000004
【図３】
2019031336.tif 000005
【図４】
2019031336.tif 000006
【図５】
2019031336.tif 000007
【図６】
2019031336.tif 000008
【図７】
2019031336.tif 000009
【図８】
2019031336.tif 000010
【図９】
2019031336.tif 000011
【図１０】
2019031336.tif 000012
【図１１】
2019031336.tif 000013
【図１２】
2019031336.tif 000014
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
包装装置の機種と被包装物の種類とに対応する包装設定情報を記憶する外部のサーバと通信可能であるとともに、前記包装設定情報を用いて被包装物を包装する包装装置であって、
当該包装装置の機種の選択と前記被包装物の種類の選択とを選択画面を介して受け付け可能な選択受付手段と、
前記選択受付手段によって選択を受け付けた当該包装装置の機種と前記被包装物の種類とに対応する前記包装設定情報を前記サーバから受信する受信手段と
を備え、
前記選択受付手段は、
当該包装装置の機種の選択を受け付けた後に前記被包装物の種類の選択を受け付けることを特徴とする包装装置。 
【請求項２】
包装装置の機種と被包装物の種類とに対応する包装設定情報を記憶する外部のサーバと通信可能であるとともに、前記包装設定情報を用いて被包装物をフィルムで包装する包装装置であって、
当該包装装置の機種の選択と前記被包装物の種類の選択と前記フィルムの種類の選択とを選択画面を介して受け付け可能な選択受付手段と、
前記選択受付手段によって選択を受け付けた当該包装装置の機種と前記被包装物の種類と前記フィルムの種類とに対応する前記包装設定情報を前記サーバから受信する受信手段と
を備え、
前記選択受付手段は、
当該包装装置の機種の選択を受け付けた後に前記フィルムの種類の選択を受け付け、前記フィルムの種類の選択を受け付けた後に前記被包装物の種類の選択を受け付けることを特徴とする包装装置。
【請求項３】
包装装置の機種と被包装物の種類とに対応する包装設定情報を記憶する外部のサーバと通信可能であるとともに、前記包装設定情報を用いて被包装物をフィルムで包装する包装装置であって、
当該包装装置の機種に関する情報を記憶する機種情報記憶手段と、
前記被包装物の種類の選択と前記フィルムの種類の選択とを選択画面を介して受け付け可能な選択受付手段と、
当該包装装置の機種と、前記選択受付手段によって選択を受け付けた前記被包装物の種類と、前記選択受付手段によって選択を受け付けた前記フィルムの種類とに対応する前記包装設定情報を前記サーバから受信する受信手段と
を備え、
前記選択受付手段は、
前記フィルムの種類の選択を受け付けた後に前記被包装物の種類の選択を受け付けることを特徴とする包装装置。 
【請求項４】
被包装物を包装する包装装置において用いられる情報であって包装装置の機種と被包装物の種類とに対応する包装設定情報を、外部のサーバから受信可能な移動端末であって、
前記包装装置の機種の選択と前記被包装物の種類の選択とを選択画面を介して受け付け可能な選択受付手段と、
前記選択受付手段によって選択を受け付けた前記包装装置の機種と前記被包装物の種類とに対応する前記包装設定情報を前記サーバから受信する受信手段と
を備え、
前記選択受付手段は、
前記包装装置の機種の選択を受け付けた後に前記被包装物の種類の選択を受け付けることを特徴とする移動端末。
【請求項５】
被包装物を包装する包装装置において用いられる情報であって包装装置の機種と被包装物の種類とフィルムの種類とに対応する包装設定情報を、外部のサーバから受信可能な移動端末であって、
前記包装装置の機種の選択と前記被包装物の種類の選択と前記フィルムの種類の選択とを選択画面を介して受け付け可能な選択受付手段と、
前記選択受付手段によって選択を受け付けた前記包装装置の機種と前記被包装物の種類と前記フィルムの種類とに対応する前記包装設定情報を前記サーバから受信する受信手段と
を備え、
前記選択受付手段は、
前記包装装置の機種の選択を受け付けた後に前記フィルムの種類の選択を受け付け、前記フィルムの種類の選択を受け付けた後に前記被包装物の種類の選択を受け付けることを特徴とする移動端末。
【請求項６】
包装装置の機種と被包装物の種類とに対応する包装設定情報を記憶する外部のサーバと通信可能であるとともに前記包装設定情報を用いて被包装物を包装する包装装置としてコンピュータを機能させるプログラムであって、
前記コンピュータを、
当該包装装置の機種の選択と前記被包装物の種類の選択とを選択画面を介して受け付け可能な選択受付手段、
前記選択受付手段によって選択を受け付けた当該包装装置の機種と前記被包装物の種類とに対応する前記包装設定情報を前記サーバから受信する受信手段
として機能させ、
前記選択受付手段は、
当該包装装置の機種の選択を受け付けた後に前記被包装物の種類の選択を受け付けることを特徴とするプログラム。
【請求項７】
包装装置の機種と被包装物の種類とに対応する包装設定情報を記憶する外部のサーバと通信可能であるとともに前記包装設定情報を用いて被包装物をフィルムで包装する包装装置としてコンピュータを機能させるプログラムであって、
前記コンピュータを、
当該包装装置の機種の選択と前記被包装物の種類の選択と前記フィルムの種類の選択とを選択画面を介して受け付け可能な選択受付手段、
前記選択受付手段によって選択を受け付けた当該包装装置の機種と前記被包装物の種類と前記フィルムの種類とに対応する前記包装設定情報を前記サーバから受信する受信手段
として機能させ、
前記選択受付手段は、
当該包装装置の機種の選択を受け付けた後に前記フィルムの種類の選択を受け付け、前記フィルムの種類の選択を受け付けた後に前記被包装物の種類の選択を受け付けることを特徴とするプログラム。
【請求項８】
包装装置の機種と被包装物の種類とに対応する包装設定情報を記憶する外部のサーバと通信可能であるとともに前記包装設定情報を用いて被包装物をフィルムで包装する包装装置としてコンピュータを機能させるプログラムであって、
前記コンピュータを、
当該包装装置の機種に関する情報を記憶する機種情報記憶手段、
前記被包装物の種類の選択と前記フィルムの種類の選択とを選択画面を介して受け付け可能な選択受付手段、
当該包装装置の機種と、前記選択受付手段によって選択を受け付けた前記被包装物の種類と、前記選択受付手段によって選択を受け付けた前記フィルムの種類とに対応する前記包装設定情報を前記サーバから受信する受信手段
として機能させ、
前記選択受付手段は、
前記フィルムの種類の選択を受け付けた後に前記被包装物の種類の選択を受け付けることを特徴とするプログラム。
【請求項９】
被包装物を包装する包装装置において用いられる情報であって包装装置の機種と被包装物の種類とに対応する包装設定情報を、外部のサーバから受信可能な移動端末としてコンピュータを機能させるプログラムであって、
前記コンピュータを、
前記包装装置の機種の選択と前記被包装物の種類の選択とを選択画面を介して受け付け可能な選択受付手段、
前記選択受付手段によって選択を受け付けた前記包装装置の機種と前記被包装物の種類とに対応する前記包装設定情報を前記サーバから受信する受信手段
として機能させ、
前記選択受付手段は、
前記包装装置の機種の選択を受け付けた後に前記被包装物の種類の選択を受け付けることを特徴とするプログラム。
【請求項１０】
被包装物を包装する包装装置において用いられる情報であって包装装置の機種と被包装物の種類とフィルムの種類とに対応する包装設定情報を、外部のサーバから受信可能な移動端末としてコンピュータを機能させるプログラムであって、
前記コンピュータを、
前記包装装置の機種の選択と前記被包装物の種類の選択と前記フィルムの種類の選択とを選択画面を介して受け付け可能な選択受付手段、
前記選択受付手段によって選択を受け付けた前記包装装置の機種と前記被包装物の種類と前記フィルムの種類とに対応する前記包装設定情報を前記サーバから受信する受信手段
として機能させ、
前記選択受付手段は、
前記包装装置の機種の選択を受け付けた後に前記フィルムの種類の選択を受け付け、前記フィルムの種類の選択を受け付けた後に前記被包装物の種類の選択を受け付けることを特徴とするプログラム。
【手続補正３】
【補正対象書類名】明細書
【補正対象項目名】０００１
【補正方法】変更
【補正の内容】
【０００１】
本発明は、包装装置、移動端末及びプログラムに関する。
【手続補正４】
【補正対象書類名】明細書
【補正対象項目名】０００６
【補正方法】変更
【補正の内容】
【０００６】
（１）上述した課題を解決するために、本発明の一態様である包装装置は、包装装置の機種と被包装物の種類とに対応する包装設定情報を記憶する外部のサーバと通信可能であるとともに、前記包装設定情報を用いて被包装物を包装する包装装置であって、当該包装装置の機種の選択と前記被包装物の種類の選択とを選択画面を介して受け付け可能な選択受付手段と、前記選択受付手段によって選択を受け付けた当該包装装置の機種と前記被包装物の種類とに対応する前記包装設定情報を前記サーバから受信する受信手段とを備え、前記選択受付手段は、当該包装装置の機種の選択を受け付けた後に前記被包装物の種類の選択を受け付けることを特徴とする。
【手続補正５】
【補正対象書類名】明細書
【補正対象項目名】０００７
【補正方法】変更
【補正の内容】
【０００７】
（２）上述した課題を解決するために、本発明の他の態様である包装装置は、包装装置の機種と被包装物の種類とに対応する包装設定情報を記憶する外部のサーバと通信可能であるとともに、前記包装設定情報を用いて被包装物をフィルムで包装する包装装置であって、当該包装装置の機種の選択と前記被包装物の種類の選択と前記フィルムの種類の選択とを選択画面を介して受け付け可能な選択受付手段と、前記選択受付手段によって選択を受け付けた当該包装装置の機種と前記被包装物の種類と前記フィルムの種類とに対応する前記包装設定情報を前記サーバから受信する受信手段とを備え、前記選択受付手段は、当該包装装置の機種の選択を受け付けた後に前記フィルムの種類の選択を受け付け、前記フィルムの種類の選択を受け付けた後に前記被包装物の種類の選択を受け付けることを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
（３）上述した課題を解決するために、本発明の他の態様である包装装置は、包装装置の機種と被包装物の種類とに対応する包装設定情報を記憶する外部のサーバと通信可能であるとともに、前記包装設定情報を用いて被包装物をフィルムで包装する包装装置であって、当該包装装置の機種に関する情報を記憶する機種情報記憶手段と、前記被包装物の種類の選択と前記フィルムの種類の選択とを選択画面を介して受け付け可能な選択受付手段と、当該包装装置の機種と、前記選択受付手段によって選択を受け付けた前記被包装物の種類と、前記選択受付手段によって選択を受け付けた前記フィルムの種類とに対応する前記包装設定情報を前記サーバから受信する受信手段とを備え、前記選択受付手段は、前記フィルムの種類の選択を受け付けた後に前記被包装物の種類の選択を受け付けることを特徴とする。
【手続補正８】
【補正対象書類名】明細書
【補正対象項目名】００１０
【補正方法】変更
【補正の内容】
【００１０】
（４）上述した課題を解決するために、本発明の他の態様である移動端末は、被包装物を包装する包装装置において用いられる情報であって包装装置の機種と被包装物の種類とに対応する包装設定情報を、外部のサーバから受信可能な移動端末であって、前記包装装置の機種の選択と前記被包装物の種類の選択とを選択画面を介して受け付け可能な選択受付手段と、前記選択受付手段によって選択を受け付けた前記包装装置の機種と前記被包装物の種類とに対応する前記包装設定情報を前記サーバから受信する受信手段とを備え、前記選択受付手段は、前記包装装置の機種の選択を受け付けた後に前記被包装物の種類の選択を受け付けることを特徴とする。
【手続補正９】
【補正対象書類名】明細書
【補正対象項目名】００１１
【補正方法】変更
【補正の内容】
【００１１】
（５）上述した課題を解決するために、本発明の他の態様である移動端末は、被包装物を包装する包装装置において用いられる情報であって包装装置の機種と被包装物の種類とフィルムの種類とに対応する包装設定情報を、外部のサーバから受信可能な移動端末であって、前記包装装置の機種の選択と前記被包装物の種類の選択と前記フィルムの種類の選択とを選択画面を介して受け付け可能な選択受付手段と、前記選択受付手段によって選択を受け付けた前記包装装置の機種と前記被包装物の種類と前記フィルムの種類とに対応する前記包装設定情報を前記サーバから受信する受信手段とを備え、前記選択受付手段は、前記包装装置の機種の選択を受け付けた後に前記フィルムの種類の選択を受け付け、前記フィルムの種類の選択を受け付けた後に前記被包装物の種類の選択を受け付けることを特徴とする。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
（６）上述した課題を解決するために、本発明の他の態様であるプログラムは、包装装置の機種と被包装物の種類とに対応する包装設定情報を記憶する外部のサーバと通信可能であるとともに前記包装設定情報を用いて被包装物を包装する包装装置としてコンピュータを機能させるプログラムであって、前記コンピュータを、当該包装装置の機種の選択と前記被包装物の種類の選択とを選択画面を介して受け付け可能な選択受付手段、前記選択受付手段によって選択を受け付けた当該包装装置の機種と前記被包装物の種類とに対応する前記包装設定情報を前記サーバから受信する受信手段として機能させ、前記選択受付手段は、当該包装装置の機種の選択を受け付けた後に前記被包装物の種類の選択を受け付けることを特徴とするプログラムである。
【手続補正１２】
【補正対象書類名】明細書
【補正対象項目名】００１４
【補正方法】変更
【補正の内容】
【００１４】
（７）上述した課題を解決するために、本発明の他の態様であるプログラムは、包装装置の機種と被包装物の種類とに対応する包装設定情報を記憶する外部のサーバと通信可能であるとともに前記包装設定情報を用いて被包装物をフィルムで包装する包装装置としてコンピュータを機能させるプログラムであって、前記コンピュータを、当該包装装置の機種の選択と前記被包装物の種類の選択と前記フィルムの種類の選択とを選択画面を介して受け付け可能な選択受付手段、前記選択受付手段によって選択を受け付けた当該包装装置の機種と前記被包装物の種類と前記フィルムの種類とに対応する前記包装設定情報を前記サーバから受信する受信手段として機能させ、前記選択受付手段は、当該包装装置の機種の選択を受け付けた後に前記フィルムの種類の選択を受け付け、前記フィルムの種類の選択を受け付けた後に前記被包装物の種類の選択を受け付けることを特徴とするプログラムである。
【手続補正１３】
【補正対象書類名】明細書
【補正対象項目名】００１５
【補正方法】変更
【補正の内容】
【００１５】
（８）上述した課題を解決するために、本発明の他の態様であるプログラムは、包装装置の機種と被包装物の種類とに対応する包装設定情報を記憶する外部のサーバと通信可能であるとともに前記包装設定情報を用いて被包装物をフィルムで包装する包装装置としてコンピュータを機能させるプログラムであって、前記コンピュータを、当該包装装置の機種に関する情報を記憶する機種情報記憶手段、前記被包装物の種類の選択と前記フィルムの種類の選択とを選択画面を介して受け付け可能な選択受付手段、当該包装装置の機種と、前記選択受付手段によって選択を受け付けた前記被包装物の種類と、前記選択受付手段によって選択を受け付けた前記フィルムの種類とに対応する前記包装設定情報を前記サーバから受信する受信手段として機能させ、前記選択受付手段は、前記フィルムの種類の選択を受け付けた後に前記被包装物の種類の選択を受け付けることを特徴とするプログラムである。
【手続補正１４】
【補正対象書類名】明細書
【補正対象項目名】００１６
【補正方法】変更
【補正の内容】
【００１６】
（９）上述した課題を解決するために、本発明の他の態様であるプログラムは、被包装物を包装する包装装置において用いられる情報であって包装装置の機種と被包装物の種類とに対応する包装設定情報を、外部のサーバから受信可能な移動端末としてコンピュータを機能させるプログラムであって、前記コンピュータを、前記包装装置の機種の選択と前記被包装物の種類の選択とを選択画面を介して受け付け可能な選択受付手段、前記選択受付手段によって選択を受け付けた前記包装装置の機種と前記被包装物の種類とに対応する前記包装設定情報を前記サーバから受信する受信手段として機能させ、前記選択受付手段は、前記包装装置の機種の選択を受け付けた後に前記被包装物の種類の選択を受け付けることを特徴とするプログラムである。
【手続補正１５】
【補正対象書類名】明細書
【補正対象項目名】００１７
【補正方法】変更
【補正の内容】
【００１７】
（１０）上述した課題を解決するために、本発明の他の態様であるプログラムは、被包装物を包装する包装装置において用いられる情報であって包装装置の機種と被包装物の種類とフィルムの種類とに対応する包装設定情報を、外部のサーバから受信可能な移動端末としてコンピュータを機能させるプログラムであって、前記コンピュータを、前記包装装置の機種の選択と前記被包装物の種類の選択と前記フィルムの種類の選択とを選択画面を介して受け付け可能な選択受付手段、前記選択受付手段によって選択を受け付けた前記包装装置の機種と前記被包装物の種類と前記フィルムの種類とに対応する前記包装設定情報を前記サーバから受信する受信手段として機能させ、前記選択受付手段は、前記包装装置の機種の選択を受け付けた後に前記フィルムの種類の選択を受け付け、前記フィルムの種類の選択を受け付けた後に前記被包装物の種類の選択を受け付けることを特徴とするプログラムである。
【手続補正１６】
【補正対象書類名】明細書
【補正対象項目名】０１３８
【補正方法】変更
【補正の内容】
【０１３８】
更に付記を開示する。
［付記Ａ１］
本発明の一態様である包装システムは、被包装物をフィルムで包装する包装装置を用いた包装システムであって、前記包装装置の種類情報、前記被包装物の種類情報に対応付けて包装設定情報を記憶する包装設定情報記憶部と、前記包装装置の種類と前記被包装物の種類とを特定する特定手段と、前記包装装置の種類と前記被包装物の種類とが特定されたことに基づいて、該特定された前記包装装置、前記被包装物の組み合せに対応する前記包装設定情報を前記包装設定情報記憶部から取得する取得手段とを有し、前記特定手段は、前記包装装置の種類を特定したことを条件に、前記被包装物の種類を特定する。
付記Ａ１の構成によれば、包装装置及び被包装物（トレー等）の種類を特定すれば、特定した包装装置及び被包装物の種類の組み合せに応じた適切な包装設定情報を取得できるので、適切かつ簡便に包装装置の設定を行うことができる。また、包装装置の種類を特定したことを条件に被包装物の種類を特定するようにしたので、効率良く、包装装置及び被包装物の種類の組み合せを特定することができる。
［付記Ａ２］
本発明の他の態様である包装システムは、被包装物をフィルムで包装する包装装置を用いた包装システムであって、前記包装装置の種類情報、前記被包装物の種類情報、フィルムの種類情報に対応付けて包装設定情報を記憶する包装設定情報記憶部と、少なくとも前記包装装置の種類を特定する特定手段と、前記包装装置の種類に加えて、前記被包装物の種類または前記フィルムの種類のうちの少なくとも一方の種類が特定されたことに基づいて、該特定された前記包装装置、前記被包装物または前記フィルムの組み合せに対応する前記包装設定情報を前記包装設定情報記憶部から取得する取得手段とを有し、前記特定手段は、前記包装装置の種類を特定したことを条件に、前記被包装物の種類または前記フィルムの種類のうちの少なくとも一方の種類を特定する。
付記Ａ２の構成によれば、（ａ）包装装置及び被包装物の種類を特定するか、（ｂ）包装装置及びフィルムの種類を特定するか、（ｃ）包装装置、被包装物及びフィルムの種類を特定すれば、適切な包装設定情報（（ａ）の場合には特定した包装装置及び被包装物の種類の組み合せに応じた包装設定情報、（ｂ）の場合には特定した包装装置及びフィルムの種類の組み合せに応じた包装設定情報、（ｃ）の場合には特定した包装装置、被包装物及びフィルムの種類の組み合せに応じた包装設定情報）を取得できるので、適切かつ簡便に包装装置の設定を行うことができる。また、包装装置の種類を特定したことを条件に被包装物の種類またはフィルムの種類のうちの少なくとも一方の種類を特定（（ａ）の場合には包装装置の種類を特定したことを条件に被包装物の種類の特定、（ｂ）の場合には包装装置の種類を特定したことを条件にフィルムの種類の特定、（ｃ）の場合には包装装置の種類を特定したことを条件に被包装物及びフィルムの種類の特定）するようにしたので、効率良く、夫々の組み合せを特定することができる。
［付記Ａ３］
付記Ａ１又は付記Ａ２の包装システムは、前記包装装置の種類情報を記憶する種類情報記憶部を備え、前記特定手段は、前記包装装置の種類を、前記種類情報記憶部に記憶されている該包装装置の種類情報に基づいて特定するようにしてもよい。
付記Ａ３の構成によれば、包装装置の種類を特定する操作が不要になるので、より正確に、より簡便に、包装装置の種類を特定することができる。従って、より適切かつ簡便に包装装置の設定を行うことができる。
［付記Ａ４］
付記Ａ２の包装システムは、前記包装装置の種類情報と該包装装置において使用される前記フィルムの種類情報とを記憶する種類情報記憶部を備え、前記特定手段は、前記包装装置の種類または前記フィルムの種類のうちの少なくとも一方の種類を、前記種類情報記憶部に記憶されている情報に基づいて特定するようにしてもよい。
付記Ａ４の構成によれば、包装装置やフィルムの種類を特定する操作が不要になるので、より正確に、より簡便に、包装装置やフィルムの種類を特定することができる。従って、より適切かつ簡便に包装装置の設定を行うことができる。
［付記Ａ５］
付記Ａ３又は付記４の包装システムは、前記包装装置と通信可能な管理装置を備え、前記管理装置は、少なくとも前記包装設定情報記憶部を有し、前記包装装置は、少なくとも前記種類情報記憶部を有するようにしてもよい。
付記Ａ５の構成によれば、当該包装装置に記憶されている情報に基づいて包装装置の種類を正確かつ簡便に特定することができる。
［付記Ａ６］
付記Ａ１〜付記５のうちのいずれかの包装システムは、前記包装装置は、前記取得手段によって取得された前記包装設定情報を読み込む読込手段を有するようにしてもよい。
付記Ａ６の構成によれば、より簡便に包装装置の設定を行うことができる。
［付記Ａ７］
付記Ａ１〜付記６のうちのいずれかの包装システムは、前記取得手段によって取得した前記包装設定情報を表示する表示手段を備えるようにしてもよい。
付記Ａ７の構成によれば、設定内容を確認することができる。
更に付記を開示する。
［付記Ｂ１］
本発明の一態様である包装装置は、包装装置の機種と被包装物の種類とに対応する包装設定情報を記憶する外部のサーバと通信可能であるとともに、前記包装設定情報を用いて被包装物を包装する包装装置であって、当該包装装置の機種の選択と前記被包装物の種類の選択とを選択画面を介して受け付け可能な選択受付手段と、前記選択受付手段によって選択を受け付けた当該包装装置の機種と前記被包装物の種類とに対応する前記包装設定情報を前記サーバから受信する受信手段とを備え、前記選択受付手段は、当該包装装置の機種の選択を受け付ける前は前記被包装物の種類の選択の受け付けを禁止する一方、当該包装装置の機種の選択を受け付けた後は前記被包装物の種類の選択の受け付けを許可する。
［付記Ｂ２］
本発明の他の態様である包装装置は、包装装置の機種と被包装物の種類とに対応する包装設定情報を記憶する外部のサーバと通信可能であるとともに、前記包装設定情報を用いて被包装物をフィルムで包装する包装装置であって、当該包装装置の機種の選択と前記被包装物の種類の選択と前記フィルムの種類の選択とを選択画面を介して受け付け可能な選択受付手段と、前記選択受付手段によって選択を受け付けた当該包装装置の機種と前記被包装物の種類と前記フィルムの種類とに対応する前記包装設定情報を前記サーバから受信する受信手段とを備え、前記選択受付手段は、当該包装装置の機種の選択を受け付ける前は前記被包装物の種類の選択および前記フィルムの種類の選択の受け付けを禁止する一方、当該包装装置の機種の選択を受け付けた後は少なくとも前記フィルムの種類の選択の受け付けを許可する。
［付記Ｂ３］
付記Ｂ２の包装装置において、前記選択受付手段は、前記フィルムの種類の選択を受け付ける前は前記被包装物の種類の選択の受け付けを禁止する一方、前記フィルムの種類の選択を受け付けた後は前記被包装物の種類の選択の受け付けを許可するようにしてもよい。
［付記Ｂ４］
本発明の他の態様である包装装置は、包装装置の機種と被包装物の種類とに対応する包装設定情報を記憶する外部のサーバと通信可能であるとともに、前記包装設定情報を用いて被包装物をフィルムで包装する包装装置であって、当該包装装置の機種に関する情報を記憶する機種情報記憶手段と、前記被包装物の種類の選択と前記フィルムの種類の選択とを選択画面を介して受け付け可能な選択受付手段と、当該包装装置の機種と、前記選択受付手段によって選択を受け付けた前記被包装物の種類と、前記選択受付手段によって選択を受け付けた前記フィルムの種類とに対応する前記包装設定情報を前記サーバから受信する受信手段とを備え、前記選択受付手段は、前記フィルムの種類の選択を受け付ける前は前記被包装物の種類の選択の受け付けを禁止する一方、前記フィルムの種類の選択を受け付けた後は前記被包装物の種類の選択の受け付けを許可する。
［付記Ｂ５］
本発明の他の態様である移動端末は、被包装物を包装する包装装置において用いられる情報であって包装装置の機種と被包装物の種類とに対応する包装設定情報を、外部のサーバから受信可能な移動端末であって、前記包装装置の機種の選択と前記被包装物の種類の選択とを選択画面を介して受け付け可能な選択受付手段と、前記選択受付手段によって選択を受け付けた前記包装装置の機種と前記被包装物の種類とに対応する前記包装設定情報を前記サーバから受信する受信手段とを備え、前記選択受付手段は、前記包装装置の機種の選択を受け付ける前は前記被包装物の種類の選択の受け付けを禁止する一方、前記包装装置の機種の選択を受け付けた後は前記被包装物の種類の選択の受け付けを許可する。
［付記Ｂ６］
本発明の他の態様である移動端末は、被包装物を包装する包装装置において用いられる情報であって包装装置の機種と被包装物の種類とフィルムの種類とに対応する包装設定情報を、外部のサーバから受信可能な移動端末であって、前記包装装置の機種の選択と前記被包装物の種類の選択と前記フィルムの種類の選択とを選択画面を介して受け付け可能な選択受付手段と、前記選択受付手段によって選択を受け付けた前記包装装置の機種と前記被包装物の種類と前記フィルムの種類とに対応する前記包装設定情報を前記サーバから受信する受信手段とを備え、前記選択受付手段は、前記包装装置の機種の選択を受け付ける前は前記被包装物の種類の選択および前記フィルムの種類の選択の受け付けを禁止する一方、前記包装装置の機種の選択を受け付けた後は少なくとも前記フィルムの種類の選択の受け付けを許可する。
［付記Ｂ７］
付記Ｂ６の移動端末において、前記選択受付手段は、前記フィルムの種類の選択を受け付ける前は前記被包装物の種類の選択の受け付けを禁止する一方、前記フィルムの種類の選択を受け付けた後は前記被包装物の種類の選択の受け付けを許可するようにしてもよい。
［付記Ｂ８］
本発明の他の態様である包装システムは、サーバと、被包装物を包装する包装装置とを含む包装システムであって、前記サーバは、前記包装装置の機種と前記被包装物の種類とに対応付けて包装設定情報を記憶する包装設定情報記憶手段を有し、前記包装装置は、当該包装装置の機種の選択と前記被包装物の種類の選択とを選択画面を介して受け付け可能な選択受付手段と、前記選択受付手段によって選択を受け付けた当該包装装置の機種と前記被包装物の種類とに対応する前記包装設定情報を前記サーバから受信する受信手段とを有し、前記選択受付手段は、当該包装装置の機種の選択を受け付ける前は前記被包装物の種類の選択の受け付けを禁止する一方、当該包装装置の機種の選択を受け付けた後は前記被包装物の種類の選択の受け付けを許可する。
［付記Ｂ９］
本発明の他の態様である包装システムは、サーバと、被包装物をフィルムで包装する包装装置とを含む包装システムであって、前記サーバは、前記包装装置の機種と前記被包装物の種類とフィルムの種類とに対応付けて包装設定情報を記憶する包装設定情報記憶手段を有し、前記包装装置は、当該包装装置の機種に関する情報を記憶する機種情報記憶手段と、前記被包装物の種類の選択と前記フィルムの種類の選択とを選択画面を介して受け付け可能な選択受付手段と、当該包装装置の機種と、前記選択受付手段によって選択を受け付けた前記被包装物の種類と、前記選択受付手段によって選択を受け付けた前記フィルムの種類とに対応する前記包装設定情報を前記サーバから受信する受信手段とを有し、前記選択受付手段は、前記フィルムの種類の選択を受け付ける前は前記被包装物の種類の選択の受け付けを禁止する一方、前記フィルムの種類の選択を受け付けた後は前記被包装物の種類の選択の受け付けを許可する。
［付記Ｂ１０］
本発明の他の態様である包装支援システムは、サーバと、前記サーバと通信可能な移動端末とを含む包装支援システムであって、前記サーバは、包装装置の機種と被包装物の種類とに対応付けて包装設定情報を記憶する包装設定情報記憶手段を有し、前記移動端末は、前記包装装置の機種の選択と前記被包装物の種類の選択とを選択画面を介して受け付け可能な選択受付手段と、前記選択受付手段によって選択を受け付けた前記包装装置の機種と前記被包装物の種類とに対応する前記包装設定情報を前記サーバから受信する受信手段とを有し、前記選択受付手段は、前記包装装置の機種の選択を受け付ける前は前記被包装物の種類の選択の受け付けを禁止する一方、前記包装装置の機種の選択を受け付けた後は前記被包装物の種類の選択の受け付けを許可する。
［付記Ｂ１１］
本発明の他の態様である包装システムは、被包装物を包装する包装装置と、サーバと、前記サーバと通信可能な移動端末とを含む包装システムであって、前記サーバは、前記包装装置の機種と前記被包装物の種類とに対応付けて包装設定情報を記憶する包装設定情報記憶手段を有し、前記移動端末は、前記包装装置の機種の選択と前記被包装物の種類の選択とを選択画面を介して受け付け可能な選択受付手段と、前記選択受付手段によって選択を受け付けた前記包装装置の機種と前記被包装物の種類とに対応する前記包装設定情報を前記サーバから受信する受信手段と、前記受信手段によって受信した前記包装設定情報を記録媒体に出力する出力手段とを有し、前記包装装置は、前記記録媒体に記憶された前記包装設定情報を読み込み可能な読込手段とを有し、前記選択受付手段は、前記包装装置の機種の選択を受け付ける前は前記被包装物の種類の選択の受け付けを禁止する一方、前記包装装置の機種の選択を受け付けた後は前記被包装物の種類の選択の受け付けを許可する。
［付記Ｂ１２］
付記Ｂ１１の包装システムにおいて、前記包装装置は、当該包装装置の機種に関する情報を記憶する機種情報記憶手段を有し、前記読込手段は、当該包装装置の機種に対応しない前記包装設定情報を読み込まない一方、当該包装装置の機種に対応する前記包装設定情報を読み込むようにしてもよい。